(57)【要約】【課題】視認性が優れた表示装置を提供する。【解決手段】発光素子で表示される表示領域を有する表示装置である。表示領域において、使用者がタッチしている点を第１点とし、使用者が第１点をタッチする前にタッチしていた点を第２点とし、第１点を始点とし第２点を終点とするベクトルを第１ベクトルとし、第１ベクトルのｋ倍（ｋは実数）を第２ベクトルとし、第１点を第２ベクトル移動させた位置にある点を第３点とする。表示領域は第１領域と、表示領域から第１領域を除いた第２領域と、を有する。第１領域は、第１点を中心とする第１円と、第３点を中心とする第２円を含む。第１領域は前記第２領域よりも輝度が高い。【選択図】図１
2018036647.tif 000002
【特許請求の範囲】
【請求項１】
発光素子で表示される表示領域を有し、
前記表示領域はタッチを検出する機能を有し、
前記表示領域は第１領域と、前記表示領域から前記第１領域を除いた第２領域と、を有し、
前記第１領域は、使用者がタッチしている点を含み、
前記第２領域における青色の輝度は、前記第１領域における青色の輝度よりも低いことを特徴とする表示装置。
【請求項２】
発光素子で表示される表示領域を有し、
前記表示領域はタッチを検出する機能を有し、
前記表示領域において、使用者がタッチしている点を第１点とし、
前記使用者が前記第１点をタッチする前にタッチしていた点を第２点とし、
前記第１点を始点とし前記第２点を終点とするベクトルを第１ベクトルとし、
前記第１ベクトルのｋ倍（ｋは実数）を第２ベクトルとし、
前記第１点を前記第２ベクトル移動させた位置にある点を第３点とし、
前記表示領域は第１領域と、前記表示領域から前記第１領域を除いた第２領域と、を有し、
前記第１領域は、前記第１点を中心とする第１円と、前記第３点を中心とする第２円を含み、
前記第１領域は前記第２領域よりも輝度が高いことを特徴とする表示装置。
【請求項３】
発光素子で表示される表示領域を有し、
前記表示領域はタッチを検出する機能を有し、
前記表示領域において、使用者がタッチしている２点のうち、一方を第１点、他方を第２点とし、
前記使用者が前記２点をタッチする前にタッチしていた２点のうち、一方を第３点、他方を第４点とし、
前記第１点を始点とし前記第３点を終点とするベクトルを第１ベクトルとし、
前記第２点を始点とし前記第４点を終点とするベクトルを第２ベクトルとし、
前記第１ベクトルのｋ倍（ｋは実数）を第３ベクトルとし、
前記第２ベクトルのｋ倍を第４ベクトルとし、
前記第１点を前記第３ベクトル移動させた位置にある点を第５点とし、
前記第２点を前記第４ベクトル移動させた位置にある点を第６点とし、
前記表示領域は第１領域と、前記表示領域から前記第１領域を除いた第２領域と、を有し、
前記第１領域は、前記第１点および前記第２点を焦点とする第１楕円と、前記第５点および前記第６点を焦点とする第２楕円と、を含み、
前記第１領域は前記第２領域よりも輝度が高いことを特徴とする表示装置。
【請求項４】
発光素子で表示される表示領域を有し、
前記表示領域はタッチを検出する機能を有し、
前記表示領域は複数の行からなるテキストと、背景と、を表示し、
前記表示領域は第１領域と、前記表示領域から前記第１領域を除いた第２領域と、を有し、
前記第１領域は、前記複数の行のうち、使用者がタッチしている点から最も近い位置にある行を含み、
前記第１領域の背景の輝度は前記第２領域の背景の輝度よりも高いことを特徴とする表示装置。
【請求項５】
発光素子で表示される表示領域を有し、
前記表示領域はタッチを検出する機能を有し、
前記表示領域は、複数の行からなるテキストと、背景と、を表示し、
前記表示領域において、使用者がタッチしている点を第１点とし、
前記使用者が前記第１点をタッチする前にタッチしていた点を第２点とし、
前記第１点を始点とし前記第２点を終点とするベクトルを第１ベクトルとし、
前記第１ベクトルのｋ倍（ｋは実数）を第２ベクトルとし、
前記第１点を前記第２ベクトル移動させた位置にある点を第３点とし、
前記表示領域は第１領域と、前記表示領域から前記第１領域を除いた第２領域と、を有し、
前記第１領域は、前記複数の行のうち前記第１点から最も近い行と、前記複数の行のうち前記第３点から最も近い行と、を含み、
前記第１領域の背景の輝度は、前記第２領域の背景の輝度よりも高いことを特徴とする表示装置。
【請求項６】
発光素子で表示される表示領域を有し、
前記表示領域はタッチを検出する機能を有し、
前記表示領域は、複数の行からなるテキストと、背景と、を表示し、
前記表示領域において、使用者がタッチしている２点のうち、一方を第１点、他方を第２点とし、
前記使用者が前記２点をタッチする前にタッチしていた２点のうち、一方を第３点、他方を第４点とし、
前記第１点を始点とし前記第３点を終点とするベクトルを第１ベクトルとし、
前記第２点を始点とし前記第４点を終点とするベクトルを第２ベクトルとし、
前記第１ベクトルのｋ倍（ｋは実数）を第３ベクトルとし、
前記第２ベクトルのｋ倍を第４ベクトルとし、
前記第１点を前記第３ベクトル移動させた位置にある点を第５点とし、
前記第２点を前記第４ベクトル移動させた位置にある点を第６点とし、
前記表示領域は第１領域と、前記表示領域から前記第１領域を除いた第２領域と、を有し、
前記第１領域は、前記複数の行のうち前記第１点から最も近い行と、前記複数の行のうち前記第２点から最も近い行と、前記複数の行のうち前記第５点から最も近い行と、前記複数の行のうち前記第６点から最も近い行と、を含み、
前記第１領域の背景の輝度は、前記第２領域の背景の輝度よりも高いことを特徴とする表示装置。
【請求項７】
請求項２乃至請求項６の何れか一項において、
前記第２領域における青色の輝度は、前記第１領域における青色の輝度よりも低いことを特徴とする表示装置。
【請求項８】
表示領域を有し、
前記表示領域はタッチを検出する機能を有し、
前記表示領域は第１領域と、前記表示領域から前記第１領域を除いた第２領域と、を有し、
前記第１領域は、使用者がタッチしている点を含み、
前記第１領域は前記第２領域よりも輝度が高く、
前記第１領域において発光素子を用いて表示を行い、
前記第２領域において反射素子を用いて表示を行うことを特徴とする表示装置。
【請求項９】
表示領域を有し、
前記表示領域はタッチを検出する機能を有し、
前記表示領域において、使用者がタッチしている点を第１点とし、
前記使用者が前記第１点をタッチする前にタッチしていた点を第２点とし、
前記第１点を始点とし前記第２点を終点とするベクトルを第１ベクトルとし、
前記第１ベクトルのｋ倍（ｋは実数）を第２ベクトルとし、
前記第１点を前記第２ベクトル移動させた位置にある点を第３点とし、
前記表示領域は第１領域と、前記表示領域から前記第１領域を除いた第２領域と、を有し、
前記第１領域は、前記第１点を中心とする第１円と、前記第３点を中心とする第２円を含み、
前記第１領域は前記第２領域よりも輝度が高く、
前記第１領域において発光素子を用いて表示を行い、
前記第２領域において反射素子を用いて表示を行うことを特徴とする表示装置。
【請求項１０】
表示領域を有し、
前記表示領域はタッチを検出する機能を有し、
前記表示領域において、使用者がタッチしている２点のうち、一方を第１点、他方を第２点とし、
前記使用者が前記２点をタッチする前にタッチしていた２点のうち、一方を第３点、他方を第４点とし、
前記第１点を始点とし前記第３点を終点とするベクトルを第１ベクトルとし、
前記第２点を始点とし前記第４点を終点とするベクトルを第２ベクトルとし、
前記第１ベクトルのｋ倍（ｋは実数）を第３ベクトルとし、
前記第２ベクトルのｋ倍を第４ベクトルとし、
前記第１点を前記第３ベクトル移動させた位置にある点を第５点とし、
前記第２点を前記第４ベクトル移動させた位置にある点を第６点とし、
前記表示領域は第１領域と、前記表示領域から前記第１領域を除いた第２領域と、を有し、
前記第１領域は、前記第１点および前記第２点を焦点とする第１楕円と、前記第５点および前記第６点を焦点とする第２楕円と、を含み、
前記第１領域は前記第２領域よりも輝度が高く、
前記第１領域において発光素子を用いて表示を行い、
前記第２領域において反射素子を用いて表示を行うことを特徴とする表示装置。
【請求項１１】
表示領域を有し、
前記表示領域はタッチを検出する機能を有し、
前記表示領域は複数の行からなるテキストと、背景と、を表示し、
前記表示領域は第１領域と、前記表示領域から前記第１領域を除いた第２領域と、を有し、
前記第１領域は、前記複数の行のうち、使用者がタッチしている点から最も近い位置にある行を含み、
前記第１領域の背景の輝度は前記第２領域の背景の輝度よりも高く、
前記第１領域において発光素子を用いて表示を行い、
前記第２領域において反射素子を用いて表示を行うことを特徴とする表示装置。
【請求項１２】
表示領域を有し、
前記表示領域はタッチを検出する機能を有し、
前記表示領域は、複数の行からなるテキストと、背景と、を表示し、
前記表示領域において、使用者がタッチしている点を第１点とし、
前記使用者が前記第１点をタッチする前にタッチしていた点を第２点とし、
前記第１点を始点とし前記第２点を終点とするベクトルを第１ベクトルとし、
前記第１ベクトルのｋ倍（ｋは実数）を第２ベクトルとし、
前記第１点を前記第２ベクトル移動させた位置にある点を第３点とし、
前記表示領域は第１領域と、前記表示領域から前記第１領域を除いた第２領域と、を有し、
前記第１領域は、前記複数の行のうち前記第１点から最も近い行と、前記複数の行のうち前記第３点から最も近い行と、を含み、
前記第１領域の背景の輝度は、前記第２領域の背景の輝度よりも高く、
前記第１領域において発光素子を用いて表示を行い、
前記第２領域において反射素子を用いて表示を行うことを特徴とする表示装置。
【請求項１３】
表示領域を有し、
前記表示領域はタッチを検出する機能を有し、
前記表示領域は、複数の行からなるテキストと、背景と、を表示し、
前記表示領域において、使用者がタッチしている２点のうち、一方を第１点、他方を第２点とし、
前記使用者が前記２点をタッチする前にタッチしていた２点のうち、一方を第３点、他方を第４点とし、
前記第１点を始点とし前記第３点を終点とするベクトルを第１ベクトルとし、
前記第２点を始点とし前記第４点を終点とするベクトルを第２ベクトルとし、
前記第１ベクトルのｋ倍（ｋは実数）を第３ベクトルとし、
前記第２ベクトルのｋ倍を第４ベクトルとし、
前記第１点を前記第３ベクトル移動させた位置にある点を第５点とし、
前記第２点を前記第４ベクトル移動させた位置にある点を第６点とし、
前記表示領域は第１領域と、前記表示領域から前記第１領域を除いた第２領域と、を有し、
前記第１領域は、前記複数の行のうち前記第１点から最も近い行と、前記複数の行のうち前記第２点から最も近い行と、前記複数の行のうち前記第５点から最も近い行と、前記複数の行のうち前記第６点から最も近い行と、を含み、
前記第１領域の背景の輝度は、前記第２領域の背景の輝度よりも高く、
前記第１領域において発光素子を用いて表示を行い、
前記第２領域において反射素子を用いて表示を行うことを特徴とする表示装置。
【請求項１４】
請求項８乃至請求項１３の何れか一項において、
前記第２領域における青色の輝度は、前記第１領域における青色の輝度よりも低いことを特徴とする表示装置。
【請求項１５】
発光素子で表示される表示領域において、
前記表示領域はタッチを検出する機能を有し、
前記表示領域は第１領域と、前記表示領域から前記第１領域を除いた第２領域と、を有し、
前記第１領域は、使用者がタッチしている点を含み、
前記第２領域における青色の輝度は、前記第１領域における青色の輝度よりも低いことを特徴とする表示方法。
【請求項１６】
発光素子で表示される表示領域において、
前記表示領域はタッチを検出する機能を有し、
前記表示領域において、使用者がタッチしている点を第１点とし、
前記使用者が前記第１点をタッチする前にタッチしていた点を第２点とし、
前記第１点を始点とし前記第２点を終点とするベクトルを第１ベクトルとし、
前記第１ベクトルのｋ倍（ｋは実数）を第２ベクトルとし、
前記第１点を前記第２ベクトル移動させた位置にある点を第３点とし、
前記表示領域は第１領域と、前記表示領域から前記第１領域を除いた第２領域と、を有し、
前記第１領域は、前記第１点を中心とする第１円と、前記第３点を中心とする第２円を含み、
前記第１領域は前記第２領域よりも輝度が高いことを特徴とする表示方法。
【請求項１７】
発光素子で表示される表示領域において、
前記表示領域はタッチを検出する機能を有し、
前記表示領域において、使用者がタッチしている２点のうち、一方を第１点、他方を第２点とし、
前記使用者が前記２点をタッチする前にタッチしていた２点のうち、一方を第３点、他方を第４点とし、
前記第１点を始点とし前記第３点を終点とするベクトルを第１ベクトルとし、
前記第２点を始点とし前記第４点を終点とするベクトルを第２ベクトルとし、
前記第１ベクトルのｋ倍（ｋは実数）を第３ベクトルとし、
前記第２ベクトルのｋ倍を第４ベクトルとし、
前記第１点を前記第３ベクトル移動させた位置にある点を第５点とし、
前記第２点を前記第４ベクトル移動させた位置にある点を第６点とし、
前記表示領域は第１領域と、前記表示領域から前記第１領域を除いた第２領域と、を有し、
前記第１領域は、前記第１点および前記第２点を焦点とする第１楕円と、前記第５点および前記第６点を焦点とする第２楕円と、を含み、
前記第１領域は前記第２領域よりも輝度が高いことを特徴とする表示方法。
【請求項１８】
発光素子で表示される表示領域において、
前記表示領域はタッチを検出する機能を有し、
前記表示領域は複数の行からなるテキストと、背景と、を表示し、
前記表示領域は第１領域と、前記表示領域から前記第１領域を除いた第２領域と、を有し、
前記第１領域は、前記複数の行のうち、使用者がタッチしている点から最も近い位置にある行を含み、
前記第１領域の背景の輝度は前記第２領域の背景の輝度よりも高いことを特徴とする表示方法。
【請求項１９】
発光素子で表示される表示領域において、
前記表示領域はタッチを検出する機能を有し、
前記表示領域は、複数の行からなるテキストと、背景と、を表示し、
前記表示領域において、使用者がタッチしている点を第１点とし、
前記使用者が前記第１点をタッチする前にタッチしていた点を第２点とし、
前記第１点を始点とし前記第２点を終点とするベクトルを第１ベクトルとし、
前記第１ベクトルのｋ倍（ｋは実数）を第２ベクトルとし、
前記第１点を前記第２ベクトル移動させた位置にある点を第３点とし、
前記表示領域は第１領域と、前記表示領域から前記第１領域を除いた第２領域と、を有し、
前記第１領域は、前記複数の行のうち前記第１点から最も近い行と、前記複数の行のうち前記第３点から最も近い行と、を含み、
前記第１領域の背景の輝度は、前記第２領域の背景の輝度よりも高いことを特徴とする表示方法。
【請求項２０】
発光素子で表示される表示領域において、
前記表示領域はタッチを検出する機能を有し、
前記表示領域は、複数の行からなるテキストと、背景と、を表示し、
前記表示領域において、使用者がタッチしている２点のうち、一方を第１点、他方を第２点とし、
前記使用者が前記２点をタッチする前にタッチしていた２点のうち、一方を第３点、他方を第４点とし、
前記第１点を始点とし前記第３点を終点とするベクトルを第１ベクトルとし、
前記第２点を始点とし前記第４点を終点とするベクトルを第２ベクトルとし、
前記第１ベクトルのｋ倍（ｋは実数）を第３ベクトルとし、
前記第２ベクトルのｋ倍を第４ベクトルとし、
前記第１点を前記第３ベクトル移動させた位置にある点を第５点とし、
前記第２点を前記第４ベクトル移動させた位置にある点を第６点とし、
前記表示領域は第１領域と、前記表示領域から前記第１領域を除いた第２領域と、を有し、
前記第１領域は、前記複数の行のうち前記第１点から最も近い行と、前記複数の行のうち前記第２点から最も近い行と、前記複数の行のうち前記第５点から最も近い行と、前記複数の行のうち前記第６点から最も近い行と、を含み、
前記第１領域の背景の輝度は、前記第２領域の背景の輝度よりも高いことを特徴とする表示方法。
【請求項２１】
請求項１５乃至請求項２０の何れか一項において、
前記第２領域における青色の輝度は、前記第１領域における青色の輝度よりも低いことを特徴とする表示方法。
【発明の詳細な説明】
【技術分野】
【０００１】
本発明の一形態は表示装置、または、その制御プログラムに関する。
【０００２】
また、本発明の一形態は、半導体装置に関する。なお本発明の一形態は、上記の技術分野に限定されない。本明細書等で開示する発明の技術分野は、物、方法、または、製造方法に関するものである。または、本発明の一形態は、プロセス、マシン、マニュファクチャ、または、組成物（コンポジション・オブ・マター）に関するものである。
【０００３】
なお、本明細書等において半導体装置とは、半導体特性を利用することで機能しうる装置全般を指す。表示装置、発光装置、記憶装置、電気光学装置、半導体回路及び電子機器は、半導体装置を有する場合がある。
【背景技術】
【０００４】
タッチパネルを備えた携帯情報端末が普及している。その携帯情報端末のディスプレイとして有機ＥＬディスプレイが注目されている。有機ＥＬ（Ｅｌｅｃｔｒｏ  Ｌｕｍｉｎｅｓｃｅｎｃｅ）ディスプレイは視認性に優れ、フレキシブルディスプレイへの応用も可能である。
【０００５】
人の視野は中心視野と周辺視野に分けることができる。中心視野より周辺視野の方が明るさに対する感度が高く、特に青に対する感度が高いと言われている（非特許文献１）。
【０００６】
酸化物半導体トランジスタを、液晶ディスプレイや有機ＥＬディスプレイなどの表示装置に用いる技術が注目されている。酸化物半導体トランジスタはオフ電流が非常に小さい。そのことを利用して、静止画像を表示する際のリフレッシュ頻度を少なくし、液晶ディスプレイや有機ＥＬディスプレイの消費電力を低減する技術が開示されている（特許文献１、特許文献２）。
【先行技術文献】
【特許文献】
【０００７】
【特許文献１】特開２０１１‐１４１５２２号公報
【特許文献２】特開２０１１‐１４１５２４号公報
【非特許文献】
【０００８】
【非特許文献１】Ｌａｗｒｅｎｃｅ  Ｅ．Ｍａｒｋｓ、“Ｂｒｉｇｈｔｎｅｓｓ  ａｎｄ  ｒｅｔｉｎａｌ  ｌｏｃｕｓ：Ｅｆｆｅｃｔｓ  ｏｆ  ｔａｒｇｅｔ  ｓｉｚｅ  ａｎｄ  ｓｐｅｃｔｒａｌ  ｃｏｍｐｏｓｉｔｉｏｎ”、Ｐｅｒｃｅｐｔｉｏｎ  ＆  Ｐｓｙｃｈｏｐｈｙｓｉｃｓ、１９７１、９、２６‐３０．
【発明の概要】
【発明が解決しようとする課題】
【０００９】
携帯電話など、バッテリーを有する携帯型の情報端末において、消費電力の削減が求められている。上記情報端末に有機ＥＬディスプレイを用いた場合、視認性を向上させるためにディスプレイの輝度を上げると、ＥＬ素子に流れる電流が増え、消費電力が増大する。特に、青色のＥＬ素子の消費電力が他の色よりも大きい。
【００１０】
本発明の一形態は、視認性が優れた表示装置を提供することを課題の一とする。本発明の一形態は、表示装置の視認性を上げるための制御プログラムを提供することを課題の一とする。本発明の一形態は、消費電力の小さい表示装置を提供することを課題の一とする。本発明の一形態は、新規な表示装置を提供することを課題の一とする。また、本発明の一形態は、新規な半導体装置を提供することを課題の一とする。
【００１１】
なお、複数の課題の記載は、互いの課題の存在を妨げるものではない。なお、本発明の一形態は、これらの課題の全て解決する必要はない。また、列記した以外の課題が、明細書、図面、請求項などの記載から、自ずと明らかとなるものであり、これらの課題も、本発明の一形態の課題となり得る。
【課題を解決するための手段】
【００１２】
本発明の一形態は、発光素子で表示される表示領域を有する表示装置である。表示領域はタッチを検出する機能を有する。表示領域は第１領域と、表示領域から第１領域を除いた第２領域と、を有する。第１領域は、使用者がタッチしている点を含む。第２領域における青色の輝度は、第１領域における青色の輝度よりも低いことが好ましい。
【００１３】
本発明の一形態は、発光素子で表示される表示領域を有する表示装置である。表示領域はタッチを検出する機能を有する。表示領域において、使用者がタッチしている点を第１点とし、使用者が第１点をタッチする前にタッチしていた点を第２点とし、第１点を始点とし第２点を終点とするベクトルを第１ベクトルとし、第１ベクトルのｋ倍（ｋは実数）を第２ベクトルとし、第１点を第２ベクトル移動させた位置にある点を第３点とする。表示領域は第１領域と、表示領域から第１領域を除いた第２領域と、を有する。第１領域は、第１点を中心とする第１円と、第３点を中心とする第２円を含む。第１領域は第２領域よりも輝度が高いことが好ましい。
【００１４】
本発明の一形態は、発光素子で表示される表示領域を有する表示装置である。表示領域はタッチを検出する機能を有する。表示領域において、使用者がタッチしている２点のうち、一方を第１点、他方を第２点とし、使用者が２点をタッチする前にタッチしていた２点のうち、一方を第３点、他方を第４点とし、第１点を始点とし第３点を終点とするベクトルを第１ベクトルとし、第２点を始点とし第４点を終点とするベクトルを第２ベクトルとし、第１ベクトルのｋ倍（ｋは実数）を第３ベクトルとし、第２ベクトルのｋ倍を第４ベクトルとし、第１点を第３ベクトル移動させた位置にある点を第５点とし、第２点を第４ベクトル移動させた位置にある点を第６点とする。表示領域は第１領域と、表示領域から第１領域を除いた第２領域と、を有する。第１領域は、第１点および第２点を焦点とする第１楕円と、第５点および第６点を焦点とする第２楕円と、を含む。第１領域は第２領域よりも輝度が高いことが好ましい。
【００１５】
本発明の一形態は、発光素子で表示される表示領域を有する表示装置である。表示領域はタッチを検出する機能を有する。表示領域は複数の行からなるテキストと、背景と、を表示する。表示領域は第１領域と、表示領域から第１領域を除いた第２領域と、を有する。第１領域は、複数の行のうち、使用者がタッチしている点から最も近い位置にある行を含む。第１領域の背景の輝度は第２領域の背景の輝度よりも高いことが好ましい。
【００１６】
本発明の一形態は、発光素子で表示される表示領域を有する表示装置である。表示領域はタッチを検出する機能を有する。表示領域は、複数の行からなるテキストと、背景と、を表示する。表示領域において、使用者がタッチしている点を第１点とし、使用者が第１点をタッチする前にタッチしていた点を第２点とし、第１点を始点とし第２点を終点とするベクトルを第１ベクトルとし、第１ベクトルのｋ倍（ｋは実数）を第２ベクトルとし、第１点を第２ベクトル移動させた位置にある点を第３点とする。表示領域は第１領域と、表示領域から第１領域を除いた第２領域と、を有する。第１領域は、複数の行のうち第１点から最も近い行と、複数の行のうち第３点から最も近い行と、を含む。第１領域の背景の輝度は、第２領域の背景の輝度よりも高いことが好ましい。
【００１７】
本発明の一形態は、発光素子で表示される表示領域を有する表示装置である。表示領域はタッチを検出する機能を有する。表示領域は、複数の行からなるテキストと、背景と、を表示する。表示領域において、使用者がタッチしている２点のうち、一方を第１点、他方を第２点とし、使用者が２点をタッチする前にタッチしていた２点のうち、一方を第３点、他方を第４点とし、第１点を始点とし第３点を終点とするベクトルを第１ベクトルとし、第２点を始点とし第４点を終点とするベクトルを第２ベクトルとし、第１ベクトルのｋ倍（ｋは実数）を第３ベクトルとし、第２ベクトルのｋ倍を第４ベクトルとし、第１点を第３ベクトル移動させた位置にある点を第５点とし、第２点を第４ベクトル移動させた位置にある点を第６点とする。表示領域は第１領域と、表示領域から第１領域を除いた第２領域と、を有する。第１領域は、複数の行のうち第１点から最も近い行と、複数の行のうち第２点から最も近い行と、複数の行のうち第５点から最も近い行と、複数の行のうち第６点から最も近い行と、を含む。第１領域の背景の輝度は、第２領域の背景の輝度よりも高いことが好ましい。
【００１８】
上記形態において、第２領域における青色の輝度は、第１領域における青色の輝度よりも低いことが好ましい。
【００１９】
本発明の一形態は、表示領域を有する表示装置である。表示領域はタッチを検出する機能を有する。表示領域は第１領域と、表示領域から第１領域を除いた第２領域と、を有する。第１領域は、使用者がタッチしている点を含む。第１領域は第２領域よりも輝度が高いことが好ましい。第１領域において発光素子を用いて表示を行い、第２領域において反射素子を用いて表示を行うことが好ましい。
【００２０】
本発明の一形態は、表示領域を有する表示装置である。表示領域はタッチを検出する機能を有する。表示領域において、使用者がタッチしている点を第１点とし、使用者が第１点をタッチする前にタッチしていた点を第２点とし、第１点を始点とし第２点を終点とするベクトルを第１ベクトルとし、第１ベクトルのｋ倍（ｋは実数）を第２ベクトルとし、第１点を第２ベクトル移動させた位置にある点を第３点とする。表示領域は第１領域と、表示領域から第１領域を除いた第２領域と、を有する。第１領域は、第１点を中心とする第１円と、第３点を中心とする第２円を含む。第１領域は第２領域よりも輝度が高いことが好ましい。第１領域において発光素子を用いて表示を行い、第２領域において反射素子を用いて表示を行うことが好ましい。
【００２１】
本発明の一形態は、表示領域を有する表示装置である。表示領域はタッチを検出する機能を有する。表示領域において、使用者がタッチしている２点のうち、一方を第１点、他方を第２点とし、使用者が２点をタッチする前にタッチしていた２点のうち、一方を第３点、他方を第４点とし、第１点を始点とし第３点を終点とするベクトルを第１ベクトルとし、第２点を始点とし第４点を終点とするベクトルを第２ベクトルとし、第１ベクトルのｋ倍（ｋは実数）を第３ベクトルとし、第２ベクトルのｋ倍を第４ベクトルとし、第１点を第３ベクトル移動させた位置にある点を第５点とし、第２点を第４ベクトル移動させた位置にある点を第６点とする。表示領域は第１領域と、表示領域から第１領域を除いた第２領域と、を有する。第１領域は、第１点および第２点を焦点とする第１楕円と、第５点および第６点を焦点とする第２楕円と、を含む。第１領域は第２領域よりも輝度が高いことが好ましい。第１領域において発光素子を用いて表示を行い、第２領域において反射素子を用いて表示を行うことが好ましい。
【００２２】
本発明の一形態は、表示領域を有する表示装置である。表示領域はタッチを検出する機能を有する。表示領域は複数の行からなるテキストと、背景と、を表示する。表示領域は第１領域と、表示領域から第１領域を除いた第２領域と、を有する。第１領域は、複数の行のうち、使用者がタッチしている点から最も近い位置にある行を含む。第１領域の背景の輝度は第２領域の背景の輝度よりも高いことが好ましい。第１領域において発光素子を用いて表示を行い、第２領域において反射素子を用いて表示を行うことが好ましい。
【００２３】
本発明の一形態は、表示領域を有する表示装置である。表示領域はタッチを検出する機能を有する。表示領域は、複数の行からなるテキストと、背景と、を表示する。表示領域において、使用者がタッチしている点を第１点とし、使用者が第１点をタッチする前にタッチしていた点を第２点とし、第１点を始点とし第２点を終点とするベクトルを第１ベクトルとし、第１ベクトルのｋ倍（ｋは実数）を第２ベクトルとし、第１点を第２ベクトル移動させた位置にある点を第３点とし、表示領域は第１領域と、表示領域から第１領域を除いた第２領域と、を有する。第１領域は、複数の行のうち第１点から最も近い行と、複数の行のうち第３点から最も近い行と、を含む。第１領域の背景の輝度は、第２領域の背景の輝度よりも高いことが好ましい。第１領域において発光素子を用いて表示を行い、第２領域において反射素子を用いて表示を行うことが好ましい。
【００２４】
本発明の一形態は、表示領域を有する表示装置である。表示領域はタッチを検出する機能を有する。表示領域は、複数の行からなるテキストと、背景と、を表示する。表示領域において、使用者がタッチしている２点のうち、一方を第１点、他方を第２点とし、使用者が２点をタッチする前にタッチしていた２点のうち、一方を第３点、他方を第４点とし、第１点を始点とし第３点を終点とするベクトルを第１ベクトルとし、第２点を始点とし第４点を終点とするベクトルを第２ベクトルとし、第１ベクトルのｋ倍（ｋは実数）を第３ベクトルとし、第２ベクトルのｋ倍を第４ベクトルとし、第１点を第３ベクトル移動させた位置にある点を第５点とし、第２点を第４ベクトル移動させた位置にある点を第６点とする。表示領域は第１領域と、表示領域から第１領域を除いた第２領域と、を有する。第１領域は、複数の行のうち第１点から最も近い行と、複数の行のうち第２点から最も近い行と、複数の行のうち第５点から最も近い行と、複数の行のうち第６点から最も近い行と、を含む。第１領域の背景の輝度は、第２領域の背景の輝度よりも高いことが好ましい。第１領域において発光素子を用いて表示を行い、第２領域において反射素子を用いて表示を行うことが好ましい。
【００２５】
上記形態において、第２領域における青色の輝度は、第１領域における青色の輝度よりも低いことが好ましい。
【００２６】
本発明の一形態は、発光素子で表示される表示領域における表示方法である。表示領域はタッチを検出する機能を有する。表示領域は第１領域と、表示領域から第１領域を除いた第２領域と、を有する。第１領域は、使用者がタッチしている点を含む。第２領域における青色の輝度は、第１領域における青色の輝度よりも低いことが好ましい。
【００２７】
本発明の一形態は、発光素子で表示される表示領域における表示方法である。表示領域はタッチを検出する機能を有する。表示領域において、使用者がタッチしている点を第１点とし、使用者が第１点をタッチする前にタッチしていた点を第２点とし、第１点を始点とし第２点を終点とするベクトルを第１ベクトルとし、第１ベクトルのｋ倍（ｋは実数）を第２ベクトルとし、第１点を第２ベクトル移動させた位置にある点を第３点とする。表示領域は第１領域と、表示領域から第１領域を除いた第２領域と、を有する。第１領域は、第１点を中心とする第１円と、第３点を中心とする第２円を含む。第１領域は第２領域よりも輝度が高いことが好ましい。
【００２８】
本発明の一形態は、発光素子で表示される表示領域における表示方法である。表示領域はタッチを検出する機能を有する。表示領域において、使用者がタッチしている２点のうち、一方を第１点、他方を第２点とし、使用者が２点をタッチする前にタッチしていた２点のうち、一方を第３点、他方を第４点とし、第１点を始点とし第３点を終点とするベクトルを第１ベクトルとし、第２点を始点とし第４点を終点とするベクトルを第２ベクトルとし、第１ベクトルのｋ倍（ｋは実数）を第３ベクトルとし、第２ベクトルのｋ倍を第４ベクトルとし、第１点を第３ベクトル移動させた位置にある点を第５点とし、第２点を第４ベクトル移動させた位置にある点を第６点とする。表示領域は第１領域と、表示領域から第１領域を除いた第２領域と、を有する。第１領域は、第１点および第２点を焦点とする第１楕円と、第５点および第６点を焦点とする第２楕円と、を含む。第１領域は第２領域よりも輝度が高いことが好ましい。
【００２９】
本発明の一形態は、発光素子で表示される表示領域における表示方法である。表示領域はタッチを検出する機能を有する。表示領域は複数の行からなるテキストと、背景と、を表示する。表示領域は第１領域と、表示領域から第１領域を除いた第２領域と、を有する。第１領域は、複数の行のうち、使用者がタッチしている点から最も近い位置にある行を含む。第１領域の背景の輝度は第２領域の背景の輝度よりも高いことが好ましい。
【００３０】
本発明の一形態は、発光素子で表示される表示領域における表示方法である。表示領域はタッチを検出する機能を有する。表示領域は、複数の行からなるテキストと、背景と、を表示する。表示領域において、使用者がタッチしている点を第１点とし、使用者が第１点をタッチする前にタッチしていた点を第２点とし、第１点を始点とし第２点を終点とするベクトルを第１ベクトルとし、第１ベクトルのｋ倍（ｋは実数）を第２ベクトルとし、第１点を第２ベクトル移動させた位置にある点を第３点とする。表示領域は第１領域と、表示領域から第１領域を除いた第２領域と、を有する。第１領域は、複数の行のうち第１点から最も近い行と、複数の行のうち第３点から最も近い行と、を含む。第１領域の背景の輝度は、第２領域の背景の輝度よりも高いことが好ましい。
【００３１】
本発明の一形態は、発光素子で表示される表示領域における表示方法である。表示領域はタッチを検出する機能を有する。表示領域は、複数の行からなるテキストと、背景と、を表示する。表示領域において、使用者がタッチしている２点のうち、一方を第１点、他方を第２点とし、使用者が２点をタッチする前にタッチしていた２点のうち、一方を第３点、他方を第４点とし、第１点を始点とし第３点を終点とするベクトルを第１ベクトルとし、第２点を始点とし第４点を終点とするベクトルを第２ベクトルとし、第１ベクトルのｋ倍（ｋは実数）を第３ベクトルとし、第２ベクトルのｋ倍を第４ベクトルとし、第１点を第３ベクトル移動させた位置にある点を第５点とし、第２点を第４ベクトル移動させた位置にある点を第６点とする。表示領域は第１領域と、表示領域から第１領域を除いた第２領域と、を有する。第１領域は、複数の行のうち第１点から最も近い行と、複数の行のうち第２点から最も近い行と、複数の行のうち第５点から最も近い行と、複数の行のうち第６点から最も近い行と、を含む。第１領域の背景の輝度は、第２領域の背景の輝度よりも高いことが好ましい。
【００３２】
上記形態において、第２領域における青色の輝度は、第１領域における青色の輝度よりも低いことが好ましい。
【発明の効果】
【００３３】
本発明の一形態により、視認性が優れた表示装置を提供することができる。本発明の一形態により、表示装置の視認性を上げるための制御プログラムを提供することができる。本発明の一形態により、消費電力の小さい表示装置を提供することができる。本発明の一形態により、新規な表示装置を提供することができる。また、本発明の一形態により、新規な半導体装置を提供することができる。
【００３４】
なお、これらの効果の記載は、他の効果の存在を妨げるものではない。なお、本発明の一形態は、これらの効果の全てを有する必要はない。なお、これら以外の効果は、明細書、図面、請求項などの記載から、自ずと明らかとなるものであり、明細書、図面、請求項などの記載から、これら以外の効果を抽出することが可能である。
【図面の簡単な説明】
【００３５】
【図１】表示装置の使用例を示す図。
【図２】表示装置の使用例を示す図。
【図３】表示装置の構成例を示すブロック図。
【図４】表示装置の動作例を示すフローチャート。
【図５】表示装置の動作例を示すフローチャート。
【図６】表示装置の動作例を示すフローチャート。
【図７】表示装置の動作例を示すフローチャート。
【図８】表示装置の動作を説明するための図。
【図９】表示装置の動作を説明するための図。
【図１０】表示装置の動作を説明するための図。
【図１１】表示装置の使用例を示す図。
【図１２】表示装置の使用例を示す図。
【図１３】表示装置の使用例を示す図。
【図１４】表示装置の使用例を示す図。
【図１５】表示装置の動作を説明するための図。
【図１６】表示装置の動作を説明するための図。
【図１７】表示装置の使用例を示す図。
【図１８】（Ａ）表示装置の使用例を示す図、（Ｂ）表示装置の動作を説明するための図。
【図１９】表示装置の構成例を示す分解図。
【図２０】表示パネルの構成例を示す上面図。
【図２１】（Ａ）表示パネルの構成例を示すブロック図、（Ｂ）画素の構成例を示す回路図、（Ｃ）画素の動作例を示すタイミングチャート。
【図２２】表示パネルの構成例を示す断面図。
【図２３】表示パネルの構成例を示す断面図。
【図２４】表示装置の構成例を示すブロック図。
【図２５】表示パネルの構成例を示す断面模式図。
【図２６】画素の構成例を示す回路図。
【図２７】画素の構成例を示す回路図。
【図２８】画素の構成例を示す回路図。
【図２９】画素の構成例を示す回路図。
【図３０】表示パネルの構成例を示す断面図。
【図３１】表示パネルの構成例を示す断面図。
【図３２】表示パネルの構成例を示す断面図。
【図３３】（Ａ）表示パネルの構成例を示す上面図、（Ｂ）画素の構成例を示す上面図。
【図３４】電子機器の例を示す図。
【図３５】表示装置の使用例を示す図。
【図３６】表示装置の使用例を示す図。
【図３７】表示装置の動作を説明するための図。
【図３８】表示装置の動作を説明するための図。
【図３９】表示装置の動作を説明するための図。
【発明を実施するための形態】
【００３６】
以下、実施の形態について図面を参照しながら説明する。但し、実施の形態は多くの異なる形態で実施することが可能であり、趣旨及びその範囲から逸脱することなくその形態及び詳細を様々に変更し得ることは当業者であれば容易に理解される。従って、本発明は、以下の実施の形態の記載内容に限定して解釈されるものではない。
【００３７】
また、図面において、大きさ、層の厚さ、または領域は、明瞭化のために誇張されている場合がある。よって、必ずしもそのスケールに限定されない。なお図面は、理想的な例を模式的に示したものであり、図面に示す形状または値などに限定されない。
【００３８】
また、本明細書は、以下の実施の形態を適宜組み合わせることが可能である。また、１つの実施の形態の中に、複数の構成例が示される場合は、互いに構成例を適宜組み合わせることが可能である。
【００３９】
（実施の形態１）
本実施の形態は、本発明の一形態である表示装置について説明を行う。
【００４０】
本実施の形態に示す表示装置１０は表示領域３０を有する。表示領域３０は表示パネルおよびタッチパネルとしての機能を有する。（図１（Ａ）参照）。
【００４１】
表示装置１０は、表示領域３０に画像を表示させることができる。また、表示装置１０の使用者は、表示領域３０をタッチすることで、入力を行うことができる。本明細書では、指で表示領域３０をタッチする例を示すが、指の代わりにスタイラスでタッチを行ってもよい。
【００４２】
＜＜使用例＞＞
図１（Ａ）は表示領域３０に、使用者が１本の指でタッチしている場合を示している。指でタッチを行うと、タッチした点を中心とする円（領域３１）が明るく発光する（領域３１の輝度が高くなる）。
【００４３】
表示領域３０において、領域３１は、表示領域３０から領域３１を除いた領域（領域４１）よりも輝度が高いことが好ましい。領域３１の輝度が高くなることで、タッチした点の周辺の視認性を向上させることができる。また、領域３１の輝度を選択的に上げることで、表示領域３０全体の輝度を上げる場合よりも消費電力を低減させることができる。
【００４４】
図１（Ｂ）は、図１（Ａ）の状態から指をタッチパネルにタッチしたまま斜め右下にスライドさせた場合の一例を示している。領域３１は指のスライドに合わせて移動する。
【００４５】
図１（Ｃ）は、図１（Ａ）の状態から指をタッチパネルにタッチしたまま斜め右下にスライドさせた場合の一例を示している。図１（Ｃ）が図１（Ｂ）と異なる点は、領域３１が、指がタッチしている点とその周辺だけでなく、指の移動方向（図中黒矢印）と反対の領域（指の斜め左上の領域）も含む点である。
【００４６】
図１（Ｄ）は、図１（Ａ）の状態から指をタッチパネルにタッチしたまま斜め右下にスライドさせた場合の例を示している。図１（Ｄ）が図１（Ｂ）と異なる点は、領域３１が、指がタッチしている点とその周辺だけでなく、指の移動方向（図中黒矢印）とその周辺の領域（指の斜め右下の領域）も含む点である。
【００４７】
図２（Ａ）は表示装置１０の表示領域３０に、使用者が２本の指でタッチした場合を示している。２本の指でタッチを行うと、タッチした２点を焦点とする楕円状の領域３２の輝度が高くなる。
【００４８】
表示領域３０において、領域３２は、表示領域３０から領域３２を除いた領域（領域４２）よりも、輝度が高いことが好ましい。領域３２の輝度が高くなることで、タッチした点の周辺の視認性を向上させることができる。また、領域３２の輝度を選択的に上げることで、表示領域３０全体の輝度を上げる場合よりも消費電力を低減させることができる。
【００４９】
図２（Ｂ）は、図２（Ａ）の状態から２本の指をタッチパネルにタッチしたまま、２本の指を左にスライドさせ、さらに２本の指の間隔を拡げた（楕円の焦点間距離を拡げた）一例を示している。領域３２は２本の指に合わせて移動し拡大される。
【００５０】
図２（Ｃ）は、図２（Ａ）の状態から２本の指をタッチパネルにタッチしたまま、２本の指を右にスライドさせ、さらに２本の指の間隔を拡げた一例を示している。図２（Ｃ）が図２（Ｂ）と異なる点は、領域３２が、２本の指の移動方向（図中黒矢印）と反対の領域（２本の指の左側の領域）も含む点である。
【００５１】
図２（Ｄ）は、図２（Ａ）の状態から２本の指をタッチパネルにタッチしたまま、２本の指を左にスライドさせ、さらに２本の指の間隔を拡げた一例を示している。図２（Ｄ）が図２（Ｂ）と異なる点は、領域３２が、２本の指の移動方向（図中黒矢印）とその周辺の領域（２本の指の左側の領域）も含む点である。
【００５２】
上述の領域３２は、３本以上の指で定めることもできる。その場合の例を図３５および図３６に示す。
【００５３】
図３５（Ａ）は表示装置１０の表示領域３０に、使用者が３本の指でタッチした場合を示している。３本の指でタッチを行うと、タッチした３点を含む領域３２の輝度が領域４２の輝度よりも高くなる。
【００５４】
図３５（Ｂ）は、図３５（Ａ）の状態から３本の指をタッチパネルにタッチしたまま、３本の指の間隔を拡げた例を示している。領域３２は３本の指に合わせて拡大される。
【００５５】
図３６（Ａ）は表示装置１０の表示領域３０に、使用者が４本の指でタッチした場合を示している。４本の指でタッチを行うと、タッチした４点を含む領域３２の輝度が領域４２の輝度よりも高くなる。
【００５６】
図３６（Ｂ）は、図３６（Ａ）の状態から４本の指をタッチパネルにタッチしたまま、４本の指の間隔を拡げた例を示している。領域３２は４本の指に合わせて拡大される。
【００５７】
以上、表示装置１０は上記に示す動作を行うことで、使用者が注視したい箇所の輝度を上げ、視認性を向上させることができる。
【００５８】
＜＜ブロック図＞＞
図３は表示装置１０の構成例を示すブロック図である。表示装置１０は、ホスト１１と、ディスプレイコントローラ１２と、表示パネル１３と、タッチパネルコントローラ１４と、タッチパネル１５を有する。表示パネル１３は、ディスプレイドライバＩＣ（以下、ＤＤＩ）１６と、表示素子１７を有する。タッチパネル１５は表示パネル１３と重畳するように設けられる。すなわち、タッチパネル１５と表示パネル１３は互いに重なる領域を有する。
【００５９】
ホスト１１はＣＰＵ（Ｃｅｎｔｒａｌ  Ｐｒｏｃｅｓｓｉｎｇ  Ｕｎｉｔ）、メモリ等を有する。ＣＰＵは、ＧＰＵ（Ｇｒａｐｈｉｃｓ  Ｐｒｏｃｅｓｓｉｎｇ  Ｕｎｉｔ）を有してもよい。メモリは表示装置１０を制御するコンピュータプログラムが記憶されている。
【００６０】
ホスト１１は、表示パネル１３に表示させる映像信号を生成する機能を有する。ホスト１１が生成した映像信号は、ディスプレイコントローラ１２によって、画像処理が施され、表示パネル１３に表示される。また、ホスト１１はタッチパネル１５から入力されたタッチ信号を受け取り、表示パネル１３に映像信号を供給する機能を有する。
【００６１】
タッチパネルコントローラ１４は、タッチパネル１５を駆動させる機能を有する。また、タッチパネルコントローラ１４は、タッチパネル１５からタッチ信号を受け取り、ホスト１１に供給する機能を有する。
【００６２】
表示素子１７は、有機ＥＬ素子、無機ＥＬ素子、ＬＥＤ（Ｌｉｇｈｔ  Ｅｍｉｔｔｉｎｇ  Ｄｉｏｄｅ）、ＱＬＥＤ（Ｑｕａｎｔｕｍ−ｄｏｔ  Ｌｉｇｈｔ  Ｅｍｉｔｔｉｎｇ  Ｄｉｏｄｅ）、半導体レーザーなどの自発光性の発光素子を用いることが好ましい。なお、以降において、表示素子１７として有機ＥＬ素子を用いた例について説明を行う。
【００６３】
タッチパネル１５でタッチが行われると、タッチパネルコントローラ１４は、イベントと、タッチが行われた位置の座標と、インデックスをホスト１１に送信する。イベントはタッチが開始された（指が下がってタッチパネルに触れた）ことを表すＤＯＷＮ、タッチが終了した（指が上がってタッチパネルから離れた）ことを表すＵＰ、タッチしたまま指が移動したことを表すＭＯＶＥなどの識別子をもつ。インデックスは、タッチパネルにタッチした指の本数を表す。
【００６４】
＜＜フローチャート＞＞
図４乃至図７は表示装置１０の動作を説明するためのフローチャートである。なお、以降の説明において、表示装置１０の輝度をＡ×Ｌ０と表す場合がある。ここで、Ａは１以下の正の実数をとり得る変数、Ｌ０は表示装置１０がとり得る最大輝度を表す。例えば、Ｌ０は８ビット階調の画像データを表示する場合に相当する。
【００６５】
＜ＳＴＡＲＴ＞
図４において、ＳＴＡＲＴは表示装置１０にまだタッチが行われていない状態であり、表示領域３０の輝度はＡ０×Ｌ０（Ａ０は１未満の正の実数）に設定されている。なお、表示領域３０がＲ（赤）Ｇ（緑）Ｂ（青）の３色の画素で構成されている場合、Ａ０はそれぞれの画素が発する光で異なっていてもよい。同様に、表示領域３０がＲＧＢＷ（白）の４色の画素で構成されている場合、Ａ０はそれぞれの画素が発する光で異なっていてもよい。同様に、表示領域３０がＲＧＢＹ（黄）の４色の画素で構成されている場合、Ａ０はそれぞれの画素が発する光で異なっていてもよい。
【００６６】
上述のＡ０をそれぞれの色の画素で異ならせる場合、青色の輝度が低くなるように、Ａ０を設定することが好ましい。表示素子１７として有機ＥＬ素子を用いた場合、青色は他の色よりも消費電力が大きい。そのため、ＳＴＡＲＴにおいて青色の輝度を低く設定しておけば、表示装置１０の消費電力を小さくすることができる。
【００６７】
なお、本明細書において、ある領域における青色の輝度とは、ある領域に含まれる一部又は全ての青色の画素から発せられる光の輝度のことを言う。例えば、図１（Ａ）の表示装置１０において、領域４１に含まれる任意の５ポイント（ポイントＡ乃至Ｅ）を選び、ポイントＡ乃至Ｅの青色の輝度をそれぞれ測定し、上記５ポイントの輝度の平均を領域４１における青色の輝度としてもよい。図１（Ａ）の領域３１における青色の輝度も同様に測定することができる。なお、上記測定ポイントの数は５に限定されず、領域の面積に応じて自由に設定してもよい。また、ある領域における赤色の輝度、ある領域における緑色の輝度など、他の色の輝度に関しても同様に考えることができる。
【００６８】
また、本明細書でいう輝度は［ｃｄ／ｍ２］で表される輝度の他に、［Ｗ／（ｓｒ・ｍ２）］で表される放射輝度も含む。
【００６９】
次に、Ｓ１においてイベントの判定を行う。ＤＯＷＮの場合はＳ１０へ、ＵＰの場合はＳ２０へ、ＭＯＶＥの場合はＳ３０へそれぞれ移行する。
【００７０】
＜ＤＯＷＮ＞
図５は、Ｓ１０以降の動作（ＤＯＷＮを検出した以降の動作）を説明するためのフローチャートである。まず、Ｓ１１でタッチパネルにタッチした指の数を判定する。指の数が１本の場合はＳ１２へ、指の数が２本以上の場合はＳ１３へ、それぞれ移行する。
【００７１】
［指の数が１本の場合］
まず、図５のＳ１２における動作について考える。Ｓ１２において、使用者がタッチした点を中心とする半径ｒの円が、領域３１として設定される（図８（Ａ）参照）。領域３１の輝度はＬ０（Ａ＝１）となり、領域４１の輝度はＡ０×Ｌ０を維持する。すなわち、領域３１が明るく発光する。
【００７２】
特に、領域４１における青色の輝度は、領域３１における青色の輝度よりも低いことが好ましい。使用者は領域３１を注視するため、領域３１を中心視野、領域４１を周辺視野とみなすことができる。人は中心視野よりも周辺視野の方が明るさに対する感度が高く、特に青色に関する感度が高い。周辺視野においては、僅かな輝度の青色でも人は明るさを感じることができる。そのため、領域４１の青色の輝度が低くても、使用者は表示領域全体を明るく感じることができる。また、表示装置１０の消費電力を低減させることもできる。
【００７３】
なお、半径ｒは使用者が設定できるようにしてもよい。例えば、タッチした指の周囲を明るく表示させたい場合、ｒは５ｍｍ以上が好ましい。
【００７４】
領域３１と領域４１との境界において、輝度はなだらかに変化することが好ましい。例えば、上記境界において、上記Ａはシグモイド関数に従って変化することが好ましい。そうすることで、表示装置１０は使用者の目にとって負担の少ない表示を行うことができる。
【００７５】
図５において、Ｓ１２で入力された指の数やタッチした点の座標は、Ｓ１４でメモリなどの記憶素子に保存される。その後、Ｓ４０を経由して、再びＳ１にてイベントの判定が行われる。
【００７６】
［指の数が２本以上の場合］
次に、図５のＳ１３における動作について考える。なお、以降では、指の数が２本の場合について説明を行うが、指の数が２本より多い場合についても同様に考えることができる。
【００７７】
図５のＳ１３において、使用者がタッチした点を焦点とする楕円が、領域３２として設定される（図１０（Ａ）参照）。領域３２の輝度はＬ０（Ａ＝１）となり、領域４２の輝度はＡ０×Ｌ０を維持する。すなわち、領域３２が明るく発光する。なお、上記楕円の長軸の長さと短軸の長さの比は常に一定であるとする。また、その比は使用者が設定できるようにしてもよい。
【００７８】
特に、領域４２における青色の輝度は、領域３２における青色の輝度よりも低いことが好ましい。領域３２を中心視野、領域４２を周辺視野とみなす場合、領域４２の青色の輝度が低くても、表示領域全体を明るく感じることができる。また、表示装置１０の消費電力を低減させることもできる。
【００７９】
領域３２と領域４２との境界において、輝度はなだらかに変化することが好ましい。例えば、上記境界において、上記Ａはシグモイド関数に従って変化することが好ましい。そうすることで、表示装置１０は使用者の目にとって負担の少ない表示を行うことができる。
【００８０】
なお、上記領域３２は楕円だけに限定されない。図３７に示すように、タッチした２点のうち一方を中心にもつ半径ｒの円Ｃ３と、タッチした２点のうち他方を中心にもつ半径ｒの円Ｃ４と、を含むように領域３２が設定されてもよい。
【００８１】
上述の領域３２は、３本の指によるタッチで定めることもできる。その場合の例を、図３８（Ａ）、（Ｂ）に示す。タッチされた３点のうち１点を中心に持つ半径ｒの円を円Ｃ５とし、タッチされた３点のうち残りの２点を焦点にもつ楕円を楕円Ｅ３とする。領域３２は円Ｃ５および楕円Ｅ３を含むように定められる（図３８（Ａ））。
【００８２】
また、タッチされた３点をそれぞれ中心にもつ半径ｒの円を円Ｃ５、Ｃ６、Ｃ７とする。領域３２は、円Ｃ５、円Ｃ６および円Ｃ７が含まれるように定められてもよい（図３８（Ｂ））。
【００８３】
上述の領域３２は、４本の指によるタッチで定めることもできる。その場合の例を、図３９（Ａ）乃至（Ｃ）に示す。タッチされた４点のうち２点を焦点に持つ楕円を楕円Ｅ４とし、タッチされた４点のうち残りの２点を焦点にもつ楕円を楕円Ｅ５とする。領域３２は楕円Ｅ４および楕円Ｅ５を含むように定められる（図３９（Ａ））。
【００８４】
また、タッチされた４点をそれぞれ頂点もつ半径ｒの円を円Ｃ８、Ｃ９、Ｃ１０、Ｃ１１とする。領域３２は、円Ｃ８、円Ｃ９、円Ｃ１０および円Ｃ１１が含まれるように定められてもよい（図３９（Ｂ））。
【００８５】
また、タッチされた４点のうち２点を焦点に持つ楕円を楕円Ｅ６とし、タッチされた４点のうち残りの２点をそれぞれ中心にもつ半径ｒの円を円Ｃ１２、Ｃ１３とする。領域３２は楕円Ｅ６、円Ｃ１２および円Ｃ１３を含むように定められてもよい（図３９（Ｃ））。
【００８６】
図５において、Ｓ１３で入力された指の数やタッチした点の座標は、Ｓ１４でメモリなどの記憶素子に保存される。その後、Ｓ４０を経由して、再びＳ１にてイベントの判定が行われる。
【００８７】
＜ＵＰ＞
図６は、Ｓ２０以降の動作（ＵＰを検出した以降の動作）を説明するためのフローチャートである。まず、Ｓ２１でタイマーをセットする。一定時間が経過するとＳ２２が呼び出される。Ｓ２３で領域３１（図１）または領域３２（図２）の輝度Ａ×Ｌ０をＡ０×Ｌ０に近づける。ＡがＡ０と等しいか否かをＳ２４で判定する。等しい場合は処理が終了し、等しくない場合はＳ２５で再びタイマーをセットする。一定時間がたつと、再びＳ２２が呼び出される。
【００８８】
上記のようにＵＰを定めることで、上述の領域３１や領域３２など、指でタッチした領域およびその周辺の輝度が、指を離すことで徐々に暗くなり、最終的に表示領域３０の他の領域と同じ輝度になる。
【００８９】
＜ＭＯＶＥ＞
図７は、Ｓ３０以降の動作（ＭＯＶＥを検出した以降の動作）を説明するためのフローチャートである。まず、Ｓ３１でタッチパネルにタッチした指の数を判定する。指の数が１本の場合はＳ３２へ、指の数が２本以上の場合はＳ３３へ、それぞれ移行する。
【００９０】
［指の数が１本の場合］
まず、Ｓ３２における動作について考える。図８（Ｂ）に示すように、使用者がタッチしている点をｏとし、ｏをタッチする前に、使用者がタッチしていた点をｐとする。ｏを始点、ｐを終点とするベクトルをＲＰ、下記の式（１）に示すようにＲＰをｋ倍したベクトルをＲＦと定め、点ｏからベクトルＲＦだけ移動した位置にある点をｆとする。ここでｋは実数の定数である。また、点ｏを中心とする半径ｒの円をＣ１、点ｆを中心とする半径ｒの円をＣ２と定める。
【００９１】
ＲＦ＝ｋ×ＲＰ                  （１）
【００９２】
円Ｃ１を円Ｃ２までベクトルＲＦに沿って移動させてできる領域を領域３１と定める（図８（Ｃ）参照）。領域３１は円Ｃ１および円Ｃ２を含むように定められる。
【００９３】
図８（Ｃ）の領域３１は図１（Ｂ）乃至（Ｄ）に示す領域３１に相当する。例えば、式（１）の定数ｋを０に設定することで、図１（Ｂ）に示す領域３１を実現できる。例えば、式（１）の定数ｋを正の値に設定することで、図１（Ｃ）に示す領域３１を実現できる。例えば、式（１）の定数ｋを負の値に設定することで、図１（Ｄ）に示す領域３１を実現できる。
【００９４】
なお、領域３１は、図９に示すように、点ｏおよび点ｆを焦点とする楕円としてもよい。この場合も、式（１）の定数ｋの値によって、図１（Ｂ）乃至（Ｄ）に示す領域３１を実現することができる。
【００９５】
図７において、Ｓ３２で入力された指の数やタッチした点の座標は、Ｓ３４でメモリなどの記憶素子に保存される。その後、Ｓ４０を経由して、再びＳ１にてイベントの判定が行われる。
【００９６】
［指の数が２本以上の場合］
次に、Ｓ３３における動作について考える。なお、以降では、指の数が２本の場合について説明を行うが、指の数が２本より多い場合についても同様に考えることができる。
【００９７】
図１０（Ｂ）に示すように、使用者がタッチしている２点をｏ、ｏ´とし、ｏ、ｏ´をタッチする前に使用者がタッチしていた２点をｐ、ｐ´とする。ｏを始点、ｐを終点とするベクトルをＲＰ、ｏ´を始点、ｐ´を終点とするベクトルをＲＰ´、式（１）に示すようにＲＰをｋ倍したベクトルをＲＦ、下記の式（２）に示すようにＲＰ´をｋ倍したベクトルをＲＦ´と定める。点ｏからベクトルＲＦだけ移動した位置にある点をｆ、点ｏ´からベクトルＲＦ´だけ移動した位置にある点をｆ´とする。式（２）のｋは式（１）のｋと同じ値をとる。また、点ｏおよび点ｏ´を焦点とする楕円をＥ１、点ｆおよび点ｆ´を焦点とする楕円をＥ２と定める。
【００９８】
ＲＦ´＝ｋ×ＲＰ´                  （２）
【００９９】
楕円Ｅ１を楕円Ｅ２まで、焦点距離を拡大／または縮小させながら平行移動させてできる領域を領域３２と定める（図１０（Ｃ）参照）。領域３２は楕円Ｅ１および楕円Ｅ２を含むように定められる。
【０１００】
図１０（Ｃ）の領域３２は図２（Ｂ）乃至（Ｄ）に示す領域３２に相当する。例えば、式（１）および式（２）の定数ｋを０に設定することで、図２（Ｂ）に示す領域３２を実現できる。例えば、式（１）および式（２）の定数ｋを正の値に設定することで、図２（Ｃ）に示す領域３２を実現できる。例えば、式（１）および式（２）の定数ｋを負の値に設定することで、図２（Ｄ）に示す領域３２を実現できる。
【０１０１】
図７において、Ｓ３３で入力された指の数やタッチした点の座標は、Ｓ３４でメモリなどの記憶素子に保存される。その後、Ｓ４０を経由して、再びＳ１にてイベントの判定が行われる。
【０１０２】
以上、図４乃至図７に示すフローチャートは、コンピュータプログラムとして図３のホスト１１に記憶される。またホスト１１は、前述のコンピュータプログラムを読み取り、実行する。また、図４乃至図７に示すフローチャートは、ハードウェアとしてディスプレイコントローラ１２で実行されてもよい。
【０１０３】
＜＜その他の使用例＞＞
次に、表示装置１０のその他の使用例に関して、図１１および図１２を用いて説明を行う。
【０１０４】
図１１（Ｂ）は、図１１（Ａ）の状態から指をタッチパネルにタッチしたまま斜め右下にスライドさせた場合の例を示している。図１１（Ａ）の円状の領域３１は指のスライドに合わせて移動し、図１１（Ｂ）に示すように円が移動した領域が領域３１として設定される。すなわち、指がなぞった領域とその周辺が領域３１として設定され、明るく発光する。図１１（Ｂ）が図１（Ｂ）及び（Ｃ）と異なる点は、始めにタッチした点（図１１（Ａ））を、領域３１が常に含む点である。
【０１０５】
図１１（Ｂ）に示す動作は、図７のＳ３２においてｋ＝０（式（１）参照）とし、かつ、上述の円がなぞった領域が領域３１として記憶されることで実現できる。
【０１０６】
図１１（Ｃ）も、図１１（Ｂ）と同様に、図１１（Ａ）の状態から指をタッチパネルにタッチしたまま斜め右下にスライドさせた場合の例を示している。図１１（Ｂ）と異なる点は、領域３１が、指の移動方向（図中黒矢印）とその周辺領域（指の斜め右下の領域）も含む点である。
【０１０７】
図１１（Ｃ）に示す動作は、図１１（Ｂ）の動作において、ｋを負の値とすることで、実現できる。
【０１０８】
図１２（Ｂ）は、図１２（Ａ）の状態から２本の指をタッチパネルにタッチしたままスライドさせた例を示している。図１２（Ａ）の楕円状の領域３２は指のスライドに合わせて移動し、図１２（Ｂ）に示すように楕円が移動した領域が領域３２として設定される。すなわち、２本の指がなぞった領域とその周辺が領域３２として設定され、明るく発光する。図１２（Ｂ）が図２（Ｂ）乃至（Ｄ）と異なる点は、始めにタッチした２点（図１２（Ａ））を、領域３２が常に含む点である。
【０１０９】
図１２（Ｂ）に示す動作は、図７のＳ３３においてｋ＝０（式（２）参照）とし、かつ、上述の楕円がなぞった領域が領域３２として記憶されることで、実現できる。
【０１１０】
以上、表示装置１０は、本実施の形態に示した動作を行うことで、使用者が注視したい箇所の輝度を上げ、視認性を向上させることができる。また、消費電力を低減することができる。
【０１１１】
（実施の形態２）
本実施の形態は、表示装置１０がテキストの表示を行う例について説明を行う。なお、本明細書中において、テキストとは表示装置に表示される文字情報のことを指す。
【０１１２】
図１３（Ａ）乃至（Ｄ）は、表示領域３０にテキストが表示されている例を示している。テキストは複数の行からなる。図１３（Ａ）は、使用者が指でテキストをタッチしている例を示している。タッチされた行の背景は領域３４として明るく発光する。
【０１１３】
表示領域３０において、領域３４に含まれる背景の輝度は、表示領域３０から領域３４を除いた領域（領域４４）の背景の輝度よりも高いことが好ましい。例えば、テキストが黒色、背景が白色で表示されている場合、領域３４の背景の輝度を上げることで、背景（白）とテキスト（黒）のコントラスト比を上げることができ、テキストの視認性を向上させることができる。また、領域３４の背景の輝度を選択的に上げることで、表示領域３０の背景全体の輝度を上げる場合よりも消費電力を低減させることができる。
【０１１４】
特に、領域４４における青色の輝度は、領域３４における青色の輝度よりも低いことが好ましい。使用者は領域３４を注視するため、領域３４を中心視野、領域４４を周辺視野とみなすことができる。領域４４の青色の輝度が低くても、表示領域全体を明るく感じることができる。また、表示装置１０の消費電力を低減させることもできる。
【０１１５】
図１３（Ｂ）は、図１３（Ａ）の状態から指をタッチパネルにタッチしたまま、上の行までスライドさせた場合の例を示している。指のスライドに合わせて領域３４も移動する。
【０１１６】
図１３（Ｃ）は、図１３（Ａ）の状態から指をタッチパネルにタッチしたまま、下の行までスライドさせた場合の例を示している。領域３４は、指がタッチしている行だけでなく、指の移動方向（図中黒矢印）と反対にある行（指の上側の行）も含んでいる。
【０１１７】
図１３（Ｄ）は、図１３（Ａ）の状態から指をタッチパネルにタッチしたまま、上の行までスライドさせた場合の例を示している。領域３４は、指がタッチしている行だけでなく、指の移動方向（図中黒矢印）にある行（指の上側の行）も含んでいる。
【０１１８】
図１４は、表示装置１０に２本の指でタッチしている例を示している。図１３と同様に、表示領域３０にテキストが表示されている。
【０１１９】
図１４（Ａ）は、使用者が２本の指でテキストをタッチしている例を示している。タッチされたテキストを含む行の背景は領域３５として明るく発光する。
【０１２０】
表示領域３０において、領域３５に含まれる背景の輝度は、表示領域３０から領域３５を除いた領域（領域４５）の背景の輝度よりも高いことが好ましい。例えば、テキストが黒色、背景が白色で表示されている場合、領域３５の背景の輝度を上げることで、背景（白）とテキスト（黒）のコントラスト比を上げることができ、テキストの視認性を向上させることができる。また、領域３５の背景の輝度を選択的に上げることで、表示領域３０の背景全体の輝度を上げる場合よりも消費電力を低減させることができる。
【０１２１】
特に、領域３５における青色の輝度が高く、領域４５における青色の輝度が低いことが好ましい。使用者は領域３５を注視するため、領域３５を中心視野、領域４５を周辺視野とみなすことができる。領域４５の青色の輝度が低くても、表示領域全体を明るく感じることができる。また、表示装置１０の消費電力を低減させることもできる。
【０１２２】
図１４（Ｂ）は、図１４（Ａ）の状態から２本の指をタッチパネルにタッチしたまま、上の行までスライドさせた場合の例を示している。指のスライドに合わせて領域３５も移動する。
【０１２３】
図１４（Ｃ）は、図１４（Ａ）の状態から２本の指をタッチパネルにタッチしたまま、下の行までスライドさせた場合の例を示している。領域３５は、２本の指がタッチしている行だけでなく、２本の指の移動方向（図中黒矢印）と反対にある行（２本の指の上側の行）も含んでいる。
【０１２４】
図１４（Ｄ）は、図１４（Ａ）の状態から２本の指をタッチパネルにタッチしたまま、上の行までスライドさせた場合の例を示している。領域３５は、２本の指がタッチしている行だけでなく、２本の指の移動方向（図中黒矢印）にある行（２本の指の上側の行）も含んでいる。
【０１２５】
本実施の形態に示す表示装置１０の構成は、図３に示すブロック図を適用することができる。また、図１３および図１４に示す動作は、図４乃至図７に示すフローチャートに従って説明できる。
【０１２６】
図１５および図１６は、上述の表示装置１０の動作を説明するための模式図である。なお、図１５および図１６は表示領域３０に表示されるテキストを実線で表している。
【０１２７】
図１５（Ａ）は、図５に示すＳ１２（ＤＯＷＭ、指の数が１本）を説明するための模式図である。指がタッチした点（図中×印）に最も近い行が領域３４に含まれる。
【０１２８】
実施の形態１と同様に、表示領域３０の背景の輝度をＡ×Ｌ０と表す（Ａは１以下の正の実数をとり得る変数、Ｌ０は表示装置１０がとり得る最大輝度）。領域３４の背景の輝度はＬ０（Ａ＝１）となり、領域４４の背景の輝度はＡ０×Ｌ０（Ａ０は１未満の正の実数）となる。すなわち、領域３４の背景が明るく発光する。また、領域３４と領域４４との境界において、背景の輝度はなだらかに変化することが好ましい。例えば、上記境界において、上記Ａはシグモイド関数に従って変化することが好ましい。そうすることで、表示装置１０は使用者の目にとって負担の少ない表示を行うことができる。
【０１２９】
図１６（Ａ）は、図５に示すＳ１３（ＤＯＷＭ、指の数が２本以上）を説明するための模式図である。２本の指がタッチした２点（図中×印）の一方に最も近い行と、２本の指がタッチした２点の他方に最も近い行が、それぞれ領域３５に含まれる。
【０１３０】
領域３５の背景の輝度はＬ０（Ａ＝１）となり、領域４５の背景の輝度はＡ０×Ｌ０（Ａ０は１未満の正の実数）となる。すなわち、領域３５の背景が明るく発光する。また、領域３５と領域４５との境界において、背景の輝度はなだらかに変化することが好ましい。例えば、上記境界において、上記Ａはシグモイド関数に従って変化することが好ましい。そうすることで、表示装置１０は使用者の目にとって負担の少ない表示を行うことができる。
【０１３１】
図１５（Ｂ）は、図７に示すＳ３２（ＭＯＶＥ、指の数が１本）を説明するための模式図である。図８と同様に、使用者がタッチしている点をｏとし、ｏをタッチする前に使用者がタッチしていた点をｐとする。ｏを始点、ｐを終点とするベクトルをＲＰ、実施の形態１の式（１）に示すようにベクトルＲＰをｋ倍したベクトルをＲＦと定め、点ｏからベクトルＲＦだけ移動した位置にある点をｆとする。ここでｋは実数の定数である。
【０１３２】
点ｏに最も近い位置にある行と、点ｆに最も近い位置にある行がそれぞれ含まれるように、領域３４が設定される（図１５（Ｃ）参照）。
【０１３３】
図１５（Ｃ）の領域３４は図１３（Ｂ）乃至（Ｄ）に示す領域３４に相当する。例えば、定数ｋを０に設定することで、図１３（Ｂ）に示す領域３４を実現できる。例えば、定数ｋを正の値に設定することで、図１３（Ｃ）に示す領域３４を実現できる。例えば、定数ｋを負の値に設定することで、図１３（Ｄ）に示す領域３４を実現できる。
【０１３４】
図１６（Ｂ）は、図７に示すＳ３３（ＭＯＶＥ、指の数が２本以上）を説明するための模式図である。使用者がタッチしている２点をｏ、ｏ´とし、ｏ、ｏ´をタッチする前に使用者がタッチしていた２点をｐ、ｐ´とする。ｏを始点、ｐを終点とするベクトルをＲＰ、ｏ´を始点、ｐ´を終点とするベクトルをＲＰ´、実施の形態１の式（１）に示すようにＲＰをｋ倍したベクトルをＲＦ、実施の形態１の式（２）に示すようにＲＰ´をｋ倍したベクトルをＲＦ´と定める。点ｏからベクトルＲＦだけ移動した位置にある点をｆ、点ｏ´からベクトルＲＦ´だけ移動した位置にある点をｆ´とする。
【０１３５】
点ｏに最も近い位置にある行と、点ｏ´に最も近い位置にある行と、点ｆに最も近い位置にある行と、点ｆ´に最も近い位置にある行がそれぞれ含まれるように、領域３５が設定される（図１６（Ｃ）参照）。
【０１３６】
図１６（Ｃ）の領域３５は図１４（Ｂ）乃至（Ｄ）に示す領域３５に相当する。例えば、定数ｋを０に設定することで、図１４（Ｂ）に示す領域３５を実現できる。例えば、定数ｋを正の値に設定することで、図１４（Ｃ）に示す領域３５を実現できる。例えば、定数ｋを負の値に設定することで、図１４（Ｄ）に示す領域３５を実現できる。
【０１３７】
次に、表示装置１０の他の使用例について説明を行う。
【０１３８】
図１７（Ｂ）は、図１７（Ａ）の状態から指をタッチパネルにタッチしたまま、上の行までスライドさせた場合の例を示している。図１７（Ｂ）に示すように指がなぞった行が領域３４として設定される。図１７（Ｂ）が図１３（Ｂ）乃至（Ｄ）と異なる点は、始めにタッチした行（図１７（Ａ））を、領域３４が常に含む点である。
【０１３９】
図１７（Ｂ）に示す動作は、図７のＳ３２においてｋ＝０（式（１）参照）とし、かつ、指がなぞった領域が領域３４として記憶されることで実現できる。
【０１４０】
図１７（Ｃ）は、図１７（Ａ）の状態から指をタッチパネルにタッチしたまま、上の行までスライドさせた場合の例を示している。図１７（Ｂ）と異なる点は、領域３４が、指の移動方向（図中黒矢印）にある行（指の上側の行、指がまだタッチしていない行）も含んでいる点である。
【０１４１】
図１７（Ｃ）に示す動作は、図１７（Ｂ）の動作において、ｋを負の値とすることで、実現できる。
【０１４２】
図１８（Ａ）は、指がタッチしたときに、２つの行が領域３４に含まれる場合を示している。図１８（Ｂ）に示すように、指がタッチした点（図中×印）に最も近い位置にある行と、その次に近い位置にある行が、領域３４に含まれるようにすればよい。
【０１４３】
以上、本実施の形態に示す表示装置１０は、タッチされた領域またはその付近の背景の輝度を上げて、テキストの視認性を向上させることができる。また、消費電力を削減することができる。
【０１４４】
（実施の形態３）
本実施の形態は、上記実施の形態に記載の表示装置１０の構成例について、説明を行う。
【０１４５】
図１９に示す表示装置１０は、上部カバー８０１と下部カバー８０２との間に、ＦＰＣ（Ｆｌｅｘｉｂｌｅ  ｐｒｉｎｔｅｄ  ｃｉｒｃｕｉｔ）８０３に接続されたタッチパネル１５、ＦＰＣ８０５に接続された表示パネル１３、フレーム８０９、プリント基板８１０、バッテリー８１１を有する。
【０１４６】
図３で説明したホスト１１、ディスプレイコントローラ１２およびタッチパネルコントローラ１４は、プリント基板８１０に設けることができる。
【０１４７】
上部カバー８０１及び下部カバー８０２は、タッチパネル１５及び表示パネル１３のサイズに合わせて、形状や寸法を適宜変更することができる。
【０１４８】
タッチパネル１５は、抵抗膜方式または静電容量方式のタッチパネルを表示パネル１３に重畳して用いることができる。また、表示パネル１３の対向基板（封止基板）に、タッチパネル機能を持たせるようにすることも可能である。または、表示パネル１３の各画素内に光センサを設け、光学式のタッチパネルとすることも可能である。または、表示パネル１３の各画素内にタッチセンサ用電極を設け、静電容量方式のタッチパネルとすることも可能である。この場合、タッチパネル１５を省略することも可能である。
【０１４９】
表示パネル１３およびタッチパネル１５は、可とう性を有する基板を用いて形成してもよい。可撓性を有する基板として、例えば、金属、合金、樹脂もしくはガラス、またはそれらの繊維などを用いることができる。樹脂としては、例えば、ポリエステル、ポリオレフィン、ポリアミド（ナイロン、アラミドなど）、ポリイミド、ポリカーボネート、アクリル、ポリテトラフルオロエチレン（ＰＴＦＥ）などがある。表示パネル１３およびタッチパネル１５が可とう性を有することで、上部カバー８０１、下部カバー８０２およびフレーム８０９の形状は、曲率を有することができる。
【０１５０】
次に、上記表示パネル１３のより具体的な構成例について、図２０乃至図２３を用いて説明を行う。
【０１５１】
図２０（Ａ）、（Ｂ）は、表示パネル１３の構成例を示す上面図である。
【０１５２】
図２０（Ａ）、（Ｂ）において、第１の基板４００１上に設けられた画素部１０２および走査線駆動回路１０１を囲むようにして、シール材４００５が設けられ、第２の基板４００６によって封止されている。また、シール材４００５によって囲まれている領域とは異なる領域にＤＤＩ１６が設けられている。また、ＤＤＩ１６、走査線駆動回路１０１または画素部１０２に与えられる各種信号及び電位は、ＦＰＣ８０５から供給されている。
【０１５３】
ＤＤＩ１６は、ＩＣなどによって、画素部１０２とは異なる工程で形成されている。例えばＳｉウェハなど、単結晶半導体基板を用いて上記ＩＣを形成してもよい。なお、ＤＤＩ１６の接続方法は、特に限定されるものではなく、ワイヤボンディング、ＣＯＧ（Ｃｈｉｐ  Ｏｎ  Ｇｌａｓｓ）、ＴＣＰ（Ｔａｐｅ  Ｃａｒｒｉｅｒ  Ｐａｃｋａｇｅ）、ＣＯＦ（Ｃｈｉｐ  Ｏｎ  Ｆｉｌｍ）などを用いることができる。図２０（Ａ）は、ＣＯＧによりＤＤＩ１６を設けている例であり、図２０（Ｂ）は、ＴＣＰによりＤＤＩ１６を設けている例である。
【０１５４】
ＤＤＩ１６をＩＣで形成する場合、ＩＣの数は１つとは限らず、複数のＩＣでＤＤＩ１６を構成してもよい。複数のＩＣでＤＤＩ１６を構成することで、画素部１０２の高精細化に対応することができる。
【０１５５】
図２０（Ａ）、（Ｂ）は、走査線駆動回路１０１が画素部１０２と同じ工程で形成されている例を示しているが、これに限定されず、ＤＤＩ１６と同様に、走査線駆動回路１０１を１つまたは複数のＩＣで形成してもよい。
【０１５６】
図２１（Ａ）は、表示パネル１３の構成例を示す回路ブロック図である。表示パネル１３は、ＤＤＩ１６、走査線駆動回路１０１、及び画素部１０２を有する。また、画素部１０２中にマトリクス状に配置された複数の画素１０３を示している。
【０１５７】
ＤＤＩ１６は、入力された画像信号（デジタル信号）をアナログ信号に変換し、複数の配線ＳＬに出力する機能を有する。ＤＤＩ１６は、一例として、ＬＶＤＳレシーバ（ＬＶＤＳ：小振幅差動信号）、シフトレジスタ、ラッチ回路、レベルシフタ、Ｄ／Ａ（デジタル／アナログ）コンバータ、バッファ等を有する。
【０１５８】
走査線駆動回路１０１は、複数の配線ＧＬに走査信号を出力する機能を有する回路である。走査線駆動回路１０１は、一例として、シフトレジスタ、バッファ等を有する。走査線駆動回路１０１は、ゲートスタートパルス、ゲートクロック等が入力され、パルス信号を出力する機能を有する。
【０１５９】
画素部１０２は、複数の配線ＧＬ、及び複数の配線ＳＬが概略直交するように設けられている。配線ＧＬと配線ＳＬの交差部には、画素１０３が設けられる。なお画素部１０２における画素１０３の配置は、カラー表示であれば、ＲＧＢ（赤緑青）の各色に対応した画素が順に設けられる。なお、ＲＧＢの画素の配列は、ストライプ配列、モザイク配列、デルタ配列等適宜用いることができる。またＲＧＢに限らず、白あるいは黄といった色を追加してカラー表示を行う構成としてもよい。
【０１６０】
図２１（Ｂ）は画素１０３の構成例を示す回路図である。画素１０３は、配線ＧＬ、配線ＳＬ、配線ＭＬ、配線ＣＴＬおよび配線ＡＮＬと電気的に接続されている。また、画素１０３は、トランジスタ１２０乃至１２２、容量素子１２３、および表示素子１７を有する。
【０１６１】
表示素子１７は一対の端子（アノードおよびカソード）を有する。表示素子１７としては、電流または電圧によって輝度を制御することが可能な素子を用いることができる。なお、以降の説明は、表示素子１７として、有機ＥＬ素子を用いた場合について説明を行う。
【０１６２】
図２１（Ｂ）において、トランジスタ１２０乃至１２２はｎ型トランジスタであるが、これらの一部または全てをｐ型トランジスタとしてもよい。また、トランジスタ１２０乃至１２２はゲートに電気的に接続されているバックゲートを有する。このようなデバイス構造とすることで、トランジスタ１２０乃至１２２の電流駆動能力を向上させることができる。トランジスタ１２０乃至１２２の一部または全てがバックゲートを有さないトランジスタでもよい。
【０１６３】
トランジスタ１２０は、トランジスタ１２１のゲート（ノード１２４）と配線ＳＬと間を接続するパストランジスタである。トランジスタ１２２は、配線ＭＬと表示素子１７のアノードとの間を接続するパストランジスタである。トランジスタ１２１は駆動トランジスタであり、表示素子１７に供給される電流源として機能する。トランジスタ１２１のドレイン電流の大きさによって、表示素子１７の輝度が調節される。容量素子１２３は、ノード１２５とノード１２４間の電圧を保持する保持容量である。
【０１６４】
トランジスタ１２１の駆動能力にばらつきが発生すると、画素１０３ごとに表示素子１７の輝度にばらつきが発生し、表示品位を低下させてしまう。図２１（Ｂ）に示す画素１０３は、トランジスタ１２１のドレイン電流をモニターすることで、表示素子１７の輝度ばらつきを補正する機能を有する。
【０１６５】
図２１（Ｃ）に、図２１（Ｂ）に示す配線ＧＬの電位と、配線ＳＬに供給される画像信号のタイミングチャートを例示する。なお、図２１（Ｃ）に示すタイミングチャートは、画素１０３に含まれるトランジスタが全てｎチャネル型である場合を例示するものである。
【０１６６】
期間Ｐ１は書き込み動作期間であり、表示素子１７は発光させない。配線ＧＬにハイレベルの電位が与えられ、トランジスタ１２０及びトランジスタ１２２がオンとなる。配線ＳＬには、画像信号として電位Ｖｄａｔａが与えられる。電位Ｖｄａｔａは、トランジスタ１２０を介してノード１２４に与えられる。
【０１６７】
期間Ｐ１では、配線ＭＬの電位が、配線ＣＴＬの電位に表示素子１７の閾値電圧Ｖｔｈｅを加算した電位よりも低く、配線ＡＮＬの電位が、配線ＭＬの電位よりも高いことが望ましい。上記構成により、トランジスタ１２１のドレイン電流を、表示素子１７ではなく配線ＭＬの方に優先的に流すことができる。
【０１６８】
期間Ｐ２は発光期間であり、表示素子１７は発光する。配線ＧＬにローレベルの電位が与えられ、トランジスタ１２０及びトランジスタ１２２がオフとなる。トランジスタ１２０がオフになることで、ノード１２４において、電位Ｖｄａｔａが保持される。また、配線ＡＮＬには電位Ｖａｎｏが与えられ、配線ＣＴＬには電位Ｖｃａｔが与えられる。電位Ｖａｎｏは、電位Ｖｃａｔに表示素子１７の閾値電圧Ｖｔｈｅを加算した電位よりも高くすることが望ましい。配線ＡＮＬと配線ＣＴＬとの間に上記電位差が設けられることにより、トランジスタ１２１のドレイン電流が表示素子１７に供給され、表示素子１７が発光する。
【０１６９】
次いで、期間Ｐ３は、トランジスタ１２１のドレイン電流を取得するモニター期間である。配線ＧＬにハイレベルの電位が与えられ、トランジスタ１２０及びトランジスタ１２２がオンとなる。配線ＳＬには、トランジスタ１２１のゲート電圧が閾値電圧Ｖｔｈよりも大きくなるような電位が与えられる。配線ＭＬの電位は、配線ＣＴＬの電位に表示素子１７の閾値電圧Ｖｔｈｅを加算した電位よりも低くし、配線ＡＮＬの電位は、配線ＭＬの電位よりも高くすることが望ましい。上記構成により、トランジスタ１２１のドレイン電流を、表示素子１７ではなく配線ＭＬの方に優先的に流すことができる。
【０１７０】
期間Ｐ３で画素１０３から配線ＭＬに出力される電流ＩＭＯＮは、発光期間にトランジスタ１２１に流れるドレイン電流に相当する。電流ＩＭＯＮはモニター回路に供給される。モニター回路は、電流ＩＭＯＮを解析し、解析結果に基づいて、補正信号を生成する。以上の動作によって、画素１０３は輝度のずれを補正することができる。
【０１７１】
図２２は、図２０（Ａ）中でＮ１−Ｎ２の鎖線で示した部位の断面構成を示す断面図である。
【０１７２】
図２２に示す表示パネル１３は電極４０１５を有しており、電極４０１５はＦＰＣ８０５が有する端子と異方性導電層４０１９を介して、電気的に接続されている。また、電極４０１５は、絶縁層４１１２、絶縁層４１１１、および絶縁層４１１０に形成された開口において配線４０１４と電気的に接続されている。電極４０１５は、第１の電極層４０３０と同じ導電層から形成されている。
【０１７３】
また第１の基板４００１上に設けられた画素部１０２と走査線駆動回路１０１は、トランジスタを複数有しており、図２２では、画素部１０２に含まれるトランジスタ１２１と、走査線駆動回路１０１に含まれるトランジスタ４０１１とを例示している。トランジスタ１２１およびトランジスタ４０１１上に、絶縁層４１１２が設けられ、絶縁層４１１２の上に隔壁４５１０が形成されている。
【０１７４】
また、トランジスタ１２１およびトランジスタ４０１１は、絶縁層４１０２上に設けられている。また、トランジスタ１２１およびトランジスタ４０１１は、絶縁層４１０２上に形成された電極５１７を有し、電極５１７上に絶縁層４１０３が形成されている。絶縁層４１０３上に半導体層５１２が形成されている。半導体層５１２上に電極５１０及び電極５１１が形成され、電極５１０及び電極５１１上に絶縁層４１１０及び絶縁層４１１１が形成され、絶縁層４１１０及び絶縁層４１１１上に電極５１６が形成されている。電極５１０及び電極５１１は、配線４０１４と同じ導電層で形成されている。
【０１７５】
トランジスタ１２１およびトランジスタ４０１１において、電極５１７はゲート電極としての機能を有し、電極５１０はソース電極またはドレイン電極の一方としての機能を有し、電極５１１はソース電極またはドレイン電極の他方としての機能を有し、電極５１６はバックゲート電極としての機能を有する。
【０１７６】
トランジスタ１２１及びトランジスタ４０１１はボトムゲート構造であり、かつ、バックゲートを有することで、オン電流を増大させることができる。また、トランジスタの閾値を制御することができる。
【０１７７】
トランジスタ１２１およびトランジスタ４０１１において、半導体層５１２はチャネル形成領域としての機能を有する。半導体層５１２として、結晶シリコン、多結晶シリコン、非晶質シリコン、金属酸化物、有機半導体、などを用いればよい。また、必要に応じて、半導体層５１２の導電率を高めるため、または、トランジスタの閾値を制御するために、半導体層５１２に不純物を導入してもよい。
【０１７８】
半導体層５１２として金属酸化物を用いた場合、インジウム（Ｉｎ）および亜鉛（Ｚｎ）の少なくとも一方を含むことが好ましい。このような酸化物としては、Ｉｎ−Ｍ−Ｚｎ酸化物、Ｉｎ−Ｍ酸化物、Ｚｎ−Ｍ酸化物、Ｉｎ−Ｚｎ酸化物（元素Ｍは、例えば、アルミニウム（Ａｌ）、ガリウム（Ｇａ）、イットリウム（Ｙ）、スズ（Ｓｎ）、ホウ素（Ｂ）、シリコン（Ｓｉ）、チタン（Ｔｉ）、鉄（Ｆｅ）、ニッケル（Ｎｉ）、ゲルマニウム（Ｇｅ）、ジルコニウム（Ｚｒ）、モリブデン（Ｍｏ）、ランタン（Ｌａ）、セリウム（Ｃｅ）、ネオジム（Ｎｄ）、バナジウム（Ｖ）、ベリリウム（Ｂｅ）、ハフニウム（Ｈｆ）、タンタル（Ｔａ）またはタングステン（Ｗ）など）が代表的である。
【０１７９】
半導体層５１２として上記金属酸化物を用いた場合、トランジスタ１２１は、オフ電流を低くすることができる。よって、画像信号等の電気信号の保持時間を長くすることができ、電源オン状態では書き込み間隔も長く設定できる。よって、リフレッシュ動作の頻度を少なくすることができるため、消費電力を抑制する効果を奏する。
【０１８０】
図２２において、容量素子１２３は、電極５１１と電極４０２１が絶縁層４１０３を介して重なる領域を有する。電極４０２１は、電極５１７と同じ導電層で形成されている。
【０１８１】
図２２は、表示素子１７として有機ＥＬ素子を用いている。表示素子１７は、画素部１０２に設けられたトランジスタ１２１と電気的に接続している。なお表示素子１７の構成は、第１の電極層４０３０、発光層４５１１、第２の電極層４０３１の積層構造であるが、この構成に限定されない。表示素子１７から取り出す光の方向などに合わせて、表示素子１７の構成は適宜変えることができる。
【０１８２】
隔壁４５１０は、有機絶縁材料、又は無機絶縁材料を用いて形成する。特に感光性の樹脂材料を用い、第１の電極層４０３０上に開口部を形成し、その開口部の側面が連続した曲率を持って形成される傾斜面となるように形成することが好ましい。
【０１８３】
発光層４５１１は、単数の層で構成されていても、複数の層が積層されるように構成されていてもどちらでも良い。
【０１８４】
表示素子１７に酸素、水素、水分、二酸化炭素等が侵入しないように、第２の電極層４０３１および隔壁４５１０上に保護層を形成してもよい。保護層としては、窒化シリコン、窒化酸化シリコン、酸化アルミニウム、窒化アルミニウム、酸化窒化アルミニウム、窒化酸化アルミニウム、ＤＬＣ（Ｄｉａｍｏｎｄ  Ｌｉｋｅ  Ｃａｒｂｏｎ）などを形成することができる。また、第１の基板４００１、第２の基板４００６、及びシール材４００５によって封止された空間には充填材４５１４が設けられ密封されている。このように、外気に曝されないように気密性が高く、脱ガスの少ない保護フィルム（貼り合わせフィルム、紫外線硬化樹脂フィルム等）やカバー材でパッケージング（封入）することが好ましい。
【０１８５】
充填材４５１４としては窒素やアルゴンなどの不活性な気体の他に、紫外線硬化樹脂または熱硬化樹脂を用いることができ、ＰＶＣ（ポリビニルクロライド）、アクリル樹脂、ポリイミド、エポキシ樹脂、シリコーン樹脂、ＰＶＢ（ポリビニルブチラル）またはＥＶＡ（エチレンビニルアセテート）などを用いることができる。また、充填材４５１４に乾燥剤が含まれていてもよい。
【０１８６】
シール材４００５には、ガラスフリットなどのガラス材料や、二液混合型の樹脂などの常温で硬化する硬化樹脂、光硬化性の樹脂、熱硬化性の樹脂などの樹脂材料を用いることができる。また、シール材４００５に乾燥剤が含まれていてもよい。
【０１８７】
また、必要であれば、光の射出面に偏光板、又は円偏光板（楕円偏光板を含む）、位相差板（λ／４板、λ／２板）、カラーフィルタなどの光学フィルムを適宜設けてもよい。また、偏光板又は円偏光板に反射防止膜を設けてもよい。例えば、表面の凹凸により反射光を拡散し、映り込みを低減できるアンチグレア処理を施すことができる。
【０１８８】
第１の電極層４０３０、第２の電極層４０３１は、酸化タングステンを含むインジウム酸化物、酸化タングステンを含むインジウム亜鉛酸化物、酸化チタンを含むインジウム酸化物、インジウム錫酸化物、酸化チタンを含むインジウム錫酸化物、インジウム亜鉛酸化物、酸化ケイ素を添加したインジウム錫酸化物などの透光性を有する導電性材料を用いることができる。
【０１８９】
また、第１の電極層４０３０、第２の電極層４０３１はタングステン（Ｗ）、モリブデン（Ｍｏ）、ジルコニウム（Ｚｒ）、ハフニウム（Ｈｆ）、バナジウム（Ｖ）、ニオブ（Ｎｂ）、タンタル（Ｔａ）、クロム（Ｃｒ）、コバルト（Ｃｏ）、ニッケル（Ｎｉ）、チタン（Ｔｉ）、白金（Ｐｔ）、アルミニウム（Ａｌ）、銅（Ｃｕ）、銀（Ａｇ）などの金属、またはその合金、もしくはその金属窒化物から一種以上を用いて形成することができる。
【０１９０】
また、第１の電極層４０３０、第２の電極層４０３１として、導電性高分子（導電性ポリマーともいう）を含む導電性組成物を用いて形成することができる。導電性高分子としては、いわゆるπ電子共役系導電性高分子を用いることができる。例えば、ポリアニリンまたはその誘導体、ポリピロールまたはその誘導体、ポリチオフェンまたはその誘導体、もしくは、アニリン、ピロールおよびチオフェンの２種以上からなる共重合体またはその誘導体等が挙げられる。
【０１９１】
表示素子１７の光を外部に取り出すため、少なくとも第１の電極層４０３０または第２の電極層４０３１の一方が透明であればよい。表示パネルは、光の取り出し方によって、上面射出（トップエミッション）構造と、下面射出（ボトムエミッション）構造と、両面射出（デュアルエミッション）構造に分類される。上面射出構造は、トランジスタ及び発光素子が形成された基板とは逆側の面（上面）から光を取り出す場合をいう。下面射出構造は、トランジスタ及び発光素子が形成された基板の面（下面）から光を取り出す場合をいう。両面射出構造は、上面と下面の両方から光を取り出す場合をいう。例えば、上面射出構造の場合、第２の電極層４０３１を透明にすればよい。例えば、下面射出構造の場合、第１の電極層４０３０を透明にすればよい。例えば、両面射出構造の場合、第１の電極層４０３０及び第２の電極層４０３１を透明にすればよい。
【０１９２】
図２３（Ａ）は、図２２に示すトランジスタ１２１及びトランジスタ４０１１に、トップゲート型のトランジスタを設けた場合の断面図を示している。図２３（Ａ）のトランジスタ１２１、４０１１において、電極５１７はゲート電極としての機能を有し、電極５１０はソース電極またはドレイン電極の一方としての機能を有し、電極５１１はソース電極またはドレイン電極の他方としての機能を有する。図２３（Ａ）のその他の構成要素の詳細については、図２２の記載を参照すればよい。
【０１９３】
図２３（Ｂ）は、図２３（Ａ）に示すトランジスタ４０１１及びトランジスタ１２１に、バックゲートとして機能する電極５１６を設けた場合の断面図を示している。トランジスタ１２１及びトランジスタ４０１１はトップゲート構造であり、かつ、バックゲートを有することで、オン電流を増大させることができる。また、トランジスタの閾値を制御することができる。図２３（Ｂ）のその他の構成要素の詳細については、図２２の記載を参照すればよい。
【０１９４】
（実施の形態４）
本実施の形態では、上記実施の形態に示した表示装置１０の別の形態について説明を行う。
【０１９５】
＜＜ブロック図＞＞
図２４は表示装置１０の構成例を示すブロック図である。表示装置１０は、ホスト１１と、ディスプレイコントローラ１２と、表示パネル２０と、タッチパネルコントローラ１４と、タッチパネル１５と、光センサ２５を有する。表示パネル２０は、ＤＤＩ２１と、反射素子２２と、ＤＤＩ２３と、発光素子２４を有する。
【０１９６】
反射素子２２は、外光の反射を利用して画像を表示する反射型表示素子であり、例えば、液晶素子、シャッター方式のＭＥＭＳ（Ｍｉｃｒｏ  Ｅｌｅｃｔｒｏ  Ｍｅｃｈａｎｉｃａｌ  Ｓｙｓｔｅｍ）素子、光干渉方式のＭＥＭＳ素子、マイクロカプセル方式、電気泳動方式、エレクトロウェッティング方式、電子粉流体（登録商標）方式等を適用した素子等を用いることができる。表示パネル２０は、反射素子２２を用いることにより、消費電力を抑制することができる。なお、以降の説明では、反射素子２２として反射型の液晶素子を用いる場合について説明を行う。
【０１９７】
発光素子２４として、有機ＥＬ素子、無機ＥＬ素子、ＬＥＤ、ＱＬＥＤ、半導体レーザーなどの自発光性の発光素子を用いることができる。なお、以降の説明では、発光素子２４として有機ＥＬ素子を用いる場合について説明を行う。
【０１９８】
表示パネル２０は、反射素子２２のみで表示を行う場合（反射モード）、発光素子２４のみで表示を行う場合（発光モード）、反射素子２２と発光素子２４を併用して表示を行う場合（ハイブリッドモード）、の３つの表示モードを有する。
【０１９９】
表示パネル２０は、光センサ２５が受光する光の強度に応じて、上記表示モードを切り替えることができる。例えば、晴れの日に外で表示装置１０を使用する場合、反射モードで表示を行う。その際に、発光素子２４の発光を停止させることで、表示装置１０は電力を節約することができる。また、夜間や暗所で表示装置１０を使用する場合、発光モードで表示を行えばよい。
【０２００】
また、表示パネル２０は、表示領域ごとに表示モードを選択することができる。例えば、図１または図１１に示す領域３１を発光モードで表示し、領域４１を反射モードで表示することができる。例えば、図１または図１１に示す領域３１をハイブリッドモードで表示し、領域４１を反射モードで表示することができる。
【０２０１】
例えば、図２または図１２に示す領域３２を発光モードで表示し、領域４２を反射モードで表示することができる。例えば、図２または図１２に示す領域３２をハイブリッドモードで表示し、領域４２を反射モード表示することができる。
【０２０２】
例えば、図１３、図１７または図１８に示す領域３４を発光モードで表示し、領域４４を反射モードで表示することができる。例えば、図１３、図１７または図１８に示す領域３４をハイブリッドモードで表示し、領域４４を反射モードで表示することができる。
【０２０３】
例えば、図１４に示す領域３５を発光モードで表示し、領域４５を反射モードで表示することができる。例えば、図１４に示す領域３５をハイブリッドモードで表示し、領域４５を反射モード表示することができる。
【０２０４】
上述のように、表示パネル２０は、表示領域ごとに表示モードを変えることで、ある特定の表示領域の視認性を向上させることができる。また、表示装置１０は消費電力を低減させることができる。
【０２０５】
＜＜表示パネルの構成例＞＞
次に、図２４に示す表示パネル２０の構成例について、図２５（Ａ）乃至（Ｃ）を用いて説明を行う。
【０２０６】
図２５（Ａ）に、表示パネル２０の断面の構造を一例として示す。図２５（Ａ）に示す表示パネル２０は、発光素子２４と、反射素子２２と、発光素子２４への電流の供給を制御する機能を有するトランジスタ２０５と、反射素子２２への電圧の供給を制御する機能を有するトランジスタ２０６とを有する。そして、発光素子２４と、反射素子２２と、トランジスタ２０５と、トランジスタ２０６とは、基板２０１と基板２０２の間に位置する。
【０２０７】
また、表示パネル２０において反射素子２２は、画素電極２０７と、共通電極２０８と、液晶層２０９とを有する。画素電極２０７は、トランジスタ２０６に電気的に接続されている。そして、画素電極２０７と共通電極２０８の間に印加される電圧にしたがって液晶層２０９の配向が制御される。なお、図２５（Ａ）では、画素電極２０７が可視光を反射する機能を有し、共通電極２０８が可視光を透過する機能を有する場合を例示しており、基板２０２側から入射した光が白抜きの矢印で示すように画素電極２０７において反射し、再び基板２０２側から放射される。
【０２０８】
また、発光素子２４は、トランジスタ２０５に電気的に接続されている。発光素子２４から発せられる光は、基板２０２側に放射される。なお、図２５（Ａ）では、画素電極２０７が可視光を反射する機能を有し、共通電極２０８が可視光を透過する機能を有する場合を例示しているため、発光素子２４から発せられる光は、白抜きの矢印で示すように画素電極２０７と重ならない領域を通過し、共通電極２０８が位置する領域を通過して、基板２０２側から放射される。
【０２０９】
そして、図２５（Ａ）に示す表示パネル２０では、トランジスタ２０５とトランジスタ２０６とが同一の層２１０に位置しており、トランジスタ２０５とトランジスタ２０６とが含まれる層２１０は、反射素子２２と発光素子２４の間の領域を有する。なお、少なくとも、トランジスタ２０５が有する半導体層と、トランジスタ２０６が有する半導体層とが同一の絶縁表面上に位置している場合、トランジスタ２０５とトランジスタ２０６とが同一の層２１０に含まれていると言える。
【０２１０】
上記構成により、トランジスタ２０５とトランジスタ２０６とを共通の作製工程で作製することができる。
【０２１１】
次いで、図２５（Ｂ）に表示パネル２０の別の構成について、断面の構造を一例として示す。図２５（Ｂ）に示す表示パネル２０は、トランジスタ２０５とトランジスタ２０６とが異なる層に含まれている点において、図２５（Ａ）に示す表示パネル２０と構成が異なる。
【０２１２】
具体的に、図２５（Ｂ）に示す表示パネル２０では、トランジスタ２０５が含まれる層２１０ａと、トランジスタ２０６が含まれる層２１０ｂとを有し、層２１０ａと層２１０ｂとは、反射素子２２と発光素子２４の間の領域を有する。そして、図２５（Ｂ）に示す表示パネル２０では、層２１０ａが層２１０ｂよりも発光素子２４側に近い。なお、少なくとも、トランジスタ２０５が有する半導体層と、トランジスタ２０６が有する半導体層とが異なる絶縁表面上に位置している場合、トランジスタ２０５とトランジスタ２０６とが異なる層に含まれていると言える。
【０２１３】
上記構成により、トランジスタ２０５およびトランジスタ２０５に接続される各種配線と、トランジスタ２０６およびトランジスタ２０６に接続される各種配線とを、部分的に重ねることができるため、画素のサイズを小さく抑え、表示パネル２０の高精細化を実現することができる。
【０２１４】
次いで、図２５（Ｃ）に、本発明の一態様に係る表示パネル２０の別の構成について、断面の構造を一例として示す。図２５（Ｃ）に示す表示パネル２０は、トランジスタ２０５とトランジスタ２０６とが異なる層に含まれている点において、図２５（Ａ）に示す表示パネル２０と構成が異なる。そして、図２５（Ｃ）に示す表示パネル２０は、トランジスタ２０５が含まれる層２１０ａが、発光素子２４よりも基板２０１側に近い点において、図２５（Ｂ）に示す表示パネル２０と構成が異なる。
【０２１５】
具体的に、図２５（Ｃ）に示す表示パネル２０では、トランジスタ２０５が含まれる層２１０ａと、トランジスタ２０６が含まれる層２１０ｂとを有する。そして、層２１０ａは、発光素子２４と基板２０１との間の領域を有する。また、層２１０ｂは、反射素子２２と発光素子２４の間の領域を有する。
【０２１６】
上記構成により、トランジスタ２０５およびトランジスタ２０５に接続される各種配線と、トランジスタ２０６およびトランジスタ２０６に接続される各種配線とを、図２５（Ｂ）の場合よりもより多く重ねることができるため、画素のサイズを小さく抑え、表示パネル２０の高精細化を実現することができる。
【０２１７】
なお、図２５では、２つの反射素子２２に対して１つの発光素子２４が対応している断面構造を例示しているが、これに限定されず、表示パネル２０は１つの反射素子２２に対して１つの発光素子２４が対応している断面構造を有していても良いし、１つの反射素子２２に対して複数の発光素子２４が対応している断面構造を有していても良い。
【０２１８】
また、図２５では、反射素子２２が有する画素電極２０７が、可視光を反射する機能を有する場合を例示しているが、これに限定されず、画素電極２０７は可視光を透過する機能を有していても良い。この場合、バックライトやフロントライトなどの光源を表示パネル２０に設けても良いし、反射素子２２を用いて画像を表示する際に発光素子２４を光源として用いても良い。
【０２１９】
＜＜画素の構成例＞＞
次に、図２４および図２５に示す表示パネル２０が有する画素の回路構成例について、図２６乃至図２９を用いて説明を行う。
【０２２０】
図２６（Ａ）に示す画素３００は、画素３５０と画素３５１とを有する。そして、画素３５０は反射素子２２を有し、画素３５１は発光素子２４を有する。
【０２２１】
具体的に、画素３５０は、反射素子２２と、反射素子２２に印加する電圧を制御する機能を有するトランジスタ３０３と、容量素子３０４とを有する。そして、トランジスタ３０３は、ゲートが配線ＧＬに電気的に接続され、ソース又はドレインの一方が配線ＳＬに電気的に接続され、ソース又はドレインの他方が反射素子２２の画素電極に電気的に接続されている。また、反射素子２２の共通電極は、所定の電位が供給される配線または電極に電気的に接続されている。また、容量素子３０４は、一方の電極が、反射素子２２の画素電極に電気的に接続され、他方の電極が、所定の電位が供給される配線または電極に電気的に接続されている。
【０２２２】
また、具体的に、画素３５１は、発光素子２４と、発光素子２４に供給する電流を制御する機能を有するトランジスタ３０５と、トランジスタ３０５のゲートへの電位の供給を制御する機能を有するトランジスタ３０６と、容量素子３０７とを有する。そして、トランジスタ３０６は、ゲートが配線ＧＥに電気的に接続され、ソース又はドレインの一方が配線ＤＬに電気的に接続され、ソース又はドレインの他方がトランジスタ３０５のゲートに電気的に接続されている。トランジスタ３０５は、ソース又はドレインの一方が配線ＡＬに電気的に接続され、ソース又はドレインの他方が発光素子２４に電気的に接続されている。容量素子３０７は、一方の電極が配線ＡＬに電気的に接続され、他方の電極がトランジスタ３０５のゲートに電気的に接続されている。
【０２２３】
図２６（Ａ）に示す画素３００では、反射素子２２に対応した画像信号を配線ＳＬに供給し、発光素子２４に対応した画像信号を配線ＤＬに供給することで、反射素子２２によって表示される階調と、発光素子２４によって表示される階調とを個別に制御することができる。
【０２２４】
なお、図２６（Ａ）では、反射素子２２を有する画素３５０と、発光素子２４を有する画素３５１とを一つずつ有する画素３００の構成例を示したが、画素３００が複数の画素３５０を有していても良いし、或いは画素３００が複数の画素３５１を有していても良い。
【０２２５】
図２６（Ｂ）に、画素３００が一の画素３５０と、４つの画素３５１を有している場合の、画素３００の構成例を示す。
【０２２６】
具体的に図２６（Ｂ）に示す画素３００は、反射素子２２を有する画素３５０と、発光素子２４をそれぞれ有する画素３５１ａ乃至画素３５１ｄとを有する。
【０２２７】
図２６（Ｂ）に示す画素３５０の構成については、図２６（Ａ）に示す画素３５０の構成を参照することができる。
【０２２８】
また、図２６（Ｂ）に示す画素３５１ａ乃至画素３５１ｄは、図２６（Ａ）に示す画素３５１と同様に、発光素子２４と、発光素子２４に供給する電流を制御する機能を有するトランジスタ３０５と、トランジスタ３０５のゲートへの電位の供給を制御する機能を有するトランジスタ３０６と、容量素子３０７とをそれぞれ有する。そして、画素３５１ａ乃至画素３５１ｄがそれぞれ有する発光素子２４から発せられる光が、異なる領域の波長を有することで、表示装置においてカラーの画像を表示することが可能になる。
【０２２９】
また、図２６（Ｂ）に示す画素３５１ａ乃至画素３５１ｄでは、画素３５１ａの有するトランジスタ３０６のゲートと、画素３５１ｃの有するトランジスタ３０６のゲートとが、配線ＧＥｂに電気的に接続されている。また、画素３５１ｂの有するトランジスタ３０６のゲートと、画素３５１ｄの有するトランジスタ３０６のゲートとが、配線ＧＥａに電気的に接続されている。
【０２３０】
また、図２６（Ｂ）に示す画素３５１ａ乃至画素３５１ｄでは、画素３５１ａの有するトランジスタ３０６のソース又はドレインの一方と、画素３５１ｂの有するトランジスタ３０６のソース又はドレインの一方とが、配線ＤＬａに電気的に接続されている。また、画素３５１ｃの有するトランジスタ３０６のソース又はドレインの一方と、画素３５１ｄの有するトランジスタ３０６のソース又はドレインの一方とが、配線ＤＬｂに電気的に接続されている。
【０２３１】
また、図２６（Ｂ）に示す画素３５１ａ乃至画素３５１ｄでは、全てのトランジスタ３０５のソース又はドレインの一方が、配線ＡＬに電気的に接続されている。
【０２３２】
上述したように、図２６（Ｂ）に示す画素３５１ａ乃至画素３５１ｄでは、画素３５１ａと画素３５１ｃが配線ＧＥｂを共有し、画素３５１ｂと画素３５１ｄが配線ＧＥａを共有しているが、画素３５１ａ乃至画素３５１ｄの全てが一の配線ＧＥを共有していても良い。この場合、画素３５１ａ乃至画素３５１ｄは、互いに異なる４つの配線ＤＬに電気的に接続されるようにすることが望ましい。
【０２３３】
次いで、図２７（Ａ）に、図２６（Ａ）とは異なる画素３００の構成例を示す。図２７（Ａ）に示す画素３００は、画素３５１が有するトランジスタ３０５がバックゲートを有する点において、図２６（Ａ）に示す画素３００と構成が異なる。
【０２３４】
具体的に、図２７（Ａ）に示す画素３００では、トランジスタ３０５のバックゲートがゲート（フロントゲート）に電気的に接続されている。図２７（Ａ）に示す画素３００は、上記構成を有することにより、トランジスタ３０５の閾値電圧がシフトするのを抑えることができ、トランジスタ３０５の信頼性を高めることができる。また、図２７（Ａ）に示す画素３００は、上記構成を有することにより、トランジスタ３０５のサイズを小さく抑えつつ、トランジスタ３０５のオン電流を高めることができる。
【０２３５】
なお、本発明の一態様に係る表示装置では、画素３００が、図２７（Ａ）に示す画素３５０を複数有していても良いし、或いは図２７（Ａ）に示す画素３５１を複数有していても良い。具体的には、図２６（Ｂ）に示した画素３００と同様に、図２７（Ａ）に示す１つの画素３５０と、４つの画素３５１とを有していても良い。その場合、各種配線と４つの画素３５１との接続関係は、図２６（Ｂ）に示した画素３００を参照することができる。
【０２３６】
次いで、図２７（Ｂ）に、図２６（Ａ）とは異なる画素３００の構成例を示す。図２７（Ｂ）に示す画素３００は、画素３５１が有するトランジスタ３０５がバックゲートを有する点において、図２６（Ａ）に示す画素３００と構成が異なる。そして、図２７（Ｂ）に示す画素３００では、トランジスタ３０５のバックゲートがゲートではなく発光素子２４に電気的に接続されている点において、図２７（Ａ）に示す画素３００と構成が異なる。
【０２３７】
図２７（Ｂ）に示す画素３００は、上記構成を有することにより、トランジスタ３０５の閾値電圧がシフトするのを抑えることができ、トランジスタ３０５の信頼性を高めることができる。
【０２３８】
なお、本発明の一態様に係る表示装置では、画素３００が、図２７（Ｂ）に示す画素３５０を複数有していても良いし、或いは図２７（Ｂ）に示す画素３５１を複数有していても良い。具体的には、図２６（Ｂ）に示した画素３００と同様に、図２７（Ｂ）に示す１つの画素３５０と、４つの画素３５１とを有していても良い。その場合、各種配線と４つの画素３５１との接続関係は、図２６（Ｂ）に示した画素３００を参照することができる。
【０２３９】
次いで、図２８に、図２６（Ａ）とは異なる画素３００の構成例を示す。図２８に示す画素３００は、画素３５０と画素３５１とを有し、画素３５１の構成が図２６（Ａ）とは異なる。
【０２４０】
具体的に、図２８に示す画素３５１は、発光素子２４と、発光素子２４に供給する電流を制御する機能を有するトランジスタ３０５と、トランジスタ３０５のゲートへの電位の供給を制御する機能を有するトランジスタ３０６と、発光素子２４の画素電極に所定の電位を供給する機能を有するトランジスタ３０８と、容量素子３０７とを有する。また、トランジスタ３０５と、トランジスタ３０６と、トランジスタ３０８とは、それぞれバックゲートを有する。
【０２４１】
そして、トランジスタ３０６は、ゲート（フロントゲート）が配線ＭＬに電気的に接続され、バックゲートが配線ＧＥに電気的に接続され、ソース又はドレインの一方が配線ＤＬに電気的に接続され、ソース又はドレインの他方がトランジスタ３０５のゲート及びバックゲートに電気的に接続されている。トランジスタ３０５は、ソース又はドレインの一方が配線ＡＬに電気的に接続され、ソース又はドレインの他方が発光素子２４に電気的に接続されている。
【０２４２】
トランジスタ３０８は、ゲート（フロントゲート）が配線ＭＬに電気的に接続され、バックゲートが配線ＧＥに電気的に接続され、ソース又はドレインの一方が配線ＭＬに電気的に接続され、ソース又はドレインの他方が発光素子２４に電気的に接続されている。容量素子３０７は、一方の電極が発光素子２４に電気的に接続され、他方の電極がトランジスタ３０５のゲートに電気的に接続されている。
【０２４３】
なお、図２８では、反射素子２２を有する画素３５０と、発光素子２４を有する画素３５１とを一つずつ有する画素３００の構成例を示したが、画素３００が複数の画素３５０を有していても良いし、或いは画素３００が複数の画素３５１を有していても良い。
【０２４４】
図２９に、画素３００が一の画素３５０と、４つの画素３５１を有している場合の、画素３００の構成例を示す。
【０２４５】
具体的に図２９に示す画素３００は、反射素子２２を有する画素３５０と、発光素子２４をそれぞれ有する画素３５１ａ乃至画素３５１ｄとを有する。
【０２４６】
図２９に示す画素３５０の構成については、図２８に示す画素３５０の構成を参照することができる。
【０２４７】
また、図２９に示す画素３５１ａ乃至画素３５１ｄは、図２８に示す画素３５１と同様に、発光素子２４と、発光素子２４に供給する電流を制御する機能を有するトランジスタ３０５と、トランジスタ３０５のゲートへの電位の供給を制御する機能を有するトランジスタ３０６と、発光素子２４の画素電極に所定の電位を供給する機能を有するトランジスタ３０８と、容量素子３０７とをそれぞれ有する。そして、画素３５１ａ乃至画素３５１ｂがそれぞれ有する発光素子２４から発せられる光が、異なる領域の波長を有することで、表示装置においてカラーの画像を表示することが可能になる。
【０２４８】
また、図２９に示す画素３５１ａ乃至画素３５１ｄでは、画素３５１ａの有するトランジスタ３０６のゲートと、画素３５１ｂの有するトランジスタ３０６のゲートとが、配線ＭＬａに電気的に接続されている。また、画素３５１ｃの有するトランジスタ３０６のゲートと、画素３５１ｄの有するトランジスタ３０６のゲートとが、配線ＭＬｂに電気的に接続されている。
【０２４９】
また、図２９に示す画素３５１ａ乃至画素３５１ｄでは、画素３５１ａの有するトランジスタ３０６のバックゲートと、画素３５１ｃの有するトランジスタ３０６のバックゲートとが、配線ＧＥｂに電気的に接続されている。また、画素３５１ｂの有するトランジスタ３０６のバックゲートと、画素３５１ｄの有するトランジスタ３０６のバックゲートとが、配線ＧＥａに電気的に接続されている。
【０２５０】
また、図２９に示す画素３５１ａ乃至画素３５１ｄでは、画素３５１ａの有するトランジスタ３０６のソース又はドレインの一方と、画素３５１ｂの有するトランジスタ３０６のソース又はドレインの一方とが、配線ＤＬａに電気的に接続されている。また、画素３５１ｃの有するトランジスタ３０６のソース又はドレインの一方と、画素３５１ｄの有するトランジスタ３０６のソース又はドレインの一方とが、配線ＤＬｂに電気的に接続されている。
【０２５１】
また、図２９に示す画素３５１ａ乃至画素３５１ｄでは、画素３５１ａの有するトランジスタ３０８のバックゲートと、画素３５１ｃの有するトランジスタ３０８のバックゲートとが、配線ＧＥｂに電気的に接続されている。また、画素３５１ｂの有するトランジスタ３０８のバックゲートと、画素３５１ｄの有するトランジスタ３０８のバックゲートとが、配線ＧＥａに電気的に接続されている。
【０２５２】
また、図２９に示す画素３５１ａ乃至画素３５１ｄでは、画素３５１ａの有するトランジスタ３０８のゲートとソース又はドレインの一方とが配線ＭＬａに電気的に接続され、画素３５１ｂの有するトランジスタ３０８のゲートとソース又はドレインの一方とが、配線ＭＬａに電気的に接続されている。また、画素３５１ｃの有するトランジスタ３０８のゲートとソース又はドレインの一方とが配線ＭＬｂに電気的に接続され、画素３５１ｂの有するトランジスタ３０８のゲートとソース又はドレインの一方とが、配線ＭＬｂに電気的に接続されている。
【０２５３】
また、図２９に示す画素３５１ａ乃至画素３５１ｄでは、全てのトランジスタ３０５のソース又はドレインの一方が、配線ＡＬに電気的に接続されている。
【０２５４】
上述したように、図２９に示す画素３５１ａ乃至画素３５１ｄでは、画素３５１ａと画素３５１ｃが配線ＧＥｂを共有し、画素３５１ｂと画素３５１ｄが配線ＧＥａを共有しているが、画素３５１ａ乃至画素３５１ｄの全てが一の配線ＧＥを共有していても良い。この場合、画素３５１ａ乃至画素３５１ｄは、互いに異なる４つの配線ＤＬに電気的に接続されるようにすることが望ましい。
【０２５５】
なお、画素３５０に、オフ電流が低いトランジスタを用いることで、表示画面を書き換える必要がない場合（すなわち静止画を表示する場合）、一時的に駆動回路を停止することができる（以下、「アイドリングストップ」、もしくは「ＩＤＳ駆動」と呼ぶ。）。ＩＤＳ駆動によって、表示パネル２０の消費電力を低減することができる。
【０２５６】
なお、ＩＤＳ駆動を行うためには、液晶層の誘電率の異方性を２以上３．８以下とし、液晶層の抵抗率を１．０×１０１４（Ω・ｃｍ）以上１．０×１０１５（Ω・ｃｍ）以下とすることが好ましい。
【０２５７】
液晶層の誘電率の異方性が高いと、電界との相互作用が大きく、液晶層の挙動が速くなるため、表示パネルの高速動作が可能である。なお、液晶層の誘電率の異方性が３．８を超えると、液晶中の不純物の精製が困難となる。この不純物が液晶層に残留することで、液晶層の導電率が増大してしまい、ＩＤＳ駆動の場合に、画素に書き込んだ電圧を保持することが困難になる。
【０２５８】
一方、液晶層の誘電率の異方性が低いと、液晶層中の不純物の量を低減することができるため、液晶層の導電率を低減できる。なお、液晶層の誘電率の異方性が２未満であると、電界との相互作用が小さく、液晶層の挙動が遅いため、高速動作を促すために駆動電圧を高く設定しなければならず、消費電力の低減が困難である。
【０２５９】
これらのことから、液晶層の誘電率の異方性を２以上３．８以下とし、液晶層の抵抗率を１．０×１０１４（Ω・ｃｍ）以上１．０×１０１５（Ω・ｃｍ）以下とすることで、ＩＤＳ駆動化可能であり、表示パネル２０の消費電力を低減することができる。
【０２６０】
＜＜表示パネルの断面図＞＞
図２５（Ｃ）に示した表示パネル２０のより具体的な構成例を図３０に示す。なお図２５（Ａ）、図２５（Ｂ）に示した表示パネル２０についても、より具体的な構成例の断面構造を図３１、図３２に図示するが、詳細な説明については省略する。なお図３１、図３２においては、図３０と同じ構成について同じ符号を付している。
【０２６１】
図３０に示す表示パネル２０は、基板２０１と基板２０２の間に、表示部３７２と、表示部３７１とが積層された構成を有する。具体的に図３０では、表示部３７２と表示部３７１とが接着層２５２により接着されている。
【０２６２】
そして、図３０では、表示部３７２の画素が有する発光素子２４、トランジスタ３０５、及び容量素子３０７と、表示部３７２の駆動回路が有するトランジスタ３０９とを図示している。また、図３０では、表示部３７１の画素が有する反射素子２２と、トランジスタ３０３と、容量素子３０４と、表示部３７１の駆動回路が有するトランジスタ３１０とを図示している。
【０２６３】
トランジスタ３０５は、バックゲートとしての機能を有する導電層３１１と、導電層３１１上の絶縁層３１２と、絶縁層３１２上において導電層３１１と重なる半導体層３１３と、半導体層３１３上の絶縁層３１６と、絶縁層３１６上に位置し、ゲートとしての機能を有する導電層３１７と、導電層３１７上に位置する絶縁層３１８のさらに上に位置し、半導体層３１３と電気的に接続されている導電層３１４及び導電層３１５と、を有する。
【０２６４】
また、導電層３１５は、導電層３１９と電気的に接続され、導電層３１９は導電層３２０に電気的に接続されている。導電層３１９は導電層３１７と同一の層に形成されており、導電層３２０は導電層３１１と同一の層に形成されている。
【０２６５】
また、導電層３１１及び導電層３２０と同一の層に、トランジスタ３０６（図示せず）のバックゲートとしての機能を有する導電層３２１が位置している。導電層３２１上には絶縁層３１２が位置し、絶縁層３１２上には導電層３２１と重なる領域を有する半導体層３２２が位置する。半導体層３２２にはトランジスタ３０６（図示せず）のチャネル形成領域が含まれる。半導体層３２２上には絶縁層３１８が位置し、絶縁層３１８上には導電層３２３が位置する。導電層３２３は半導体層３２２に電気的に接続されており、導電層３２３はトランジスタ３０６（図示せず）のソースまたはドレインとしての機能を有する。
【０２６６】
トランジスタ３０９は、トランジスタ３０５と同様の構成を有するので、詳細な説明は割愛する。
【０２６７】
トランジスタ３０５、導電層３２３、トランジスタ３０９上には、絶縁層３２４が位置し、絶縁層３２４上には絶縁層３２５が位置する。絶縁層３２５上には導電層３２６及び導電層３２７が位置する。導電層３２６は導電層３１４と電気的に接続されており、導電層３２７は導電層３２３と電気的に接続されている。導電層３２６及び導電層３２７上には絶縁層３２８が位置し、絶縁層３２８上には導電層３２９が位置する。導電層３２９は導電層３２６に電気的に接続されており、発光素子２４の画素電極としての機能を有する。
【０２６８】
導電層３２７と絶縁層３２８と導電層３２９とが重なる領域が、容量素子３０７として機能する。
【０２６９】
導電層３２９上には絶縁層３３０が位置し、絶縁層３３０上にはＥＬ層３３１が位置し、ＥＬ層３３１上には対向電極としての機能を有する導電層３３２が位置する。導電層３２９とＥＬ層３３１と導電層３３２とは、絶縁層３３０の開口部において電気的に接続されており、導電層３２９とＥＬ層３３１と導電層３３２とが電気的に接続された領域が発光素子２４として機能する。発光素子２４は、導電層３３２側から破線の矢印で示す方向に光を放射する、トップエミッション構造を有する。
【０２７０】
導電層３２９と導電層３３２とは、一方が陽極として機能し、他方が陰極として機能する。導電層３２９と導電層３３２の間に、発光素子２４の閾値電圧より高い電圧を印加すると、ＥＬ層３３１に陽極側から正孔が注入され、陰極側から電子が注入される。注入された電子と正孔はＥＬ層３３１において再結合し、ＥＬ層３３１に含まれる発光物質が発光する。
【０２７１】
なお、半導体層３１３、３２２に金属酸化物を用いる場合、ディスプレイの信頼性を高めるには、絶縁層３１８は酸素を含む絶縁材料を用いることが望ましく、絶縁層３２４には水又は水素などの不純物が拡散しにくい材料を用いることが望ましい。
【０２７２】
絶縁層３２５または絶縁層３３０として有機材料を用いる場合、絶縁層３２５または絶縁層３３０がディスプレイの端部に露出していると、絶縁層３２５または絶縁層３３０を介して発光素子２４等にディスプレイの外部から水分等の不純物が侵入する恐れがある。不純物の侵入により、発光素子２４が劣化すると、ディスプレイの劣化につながる。そのため、図３０に示すように、絶縁層３２５及び絶縁層３３０が、ディスプレイの端部に位置しないことが好ましい。
【０２７３】
発光素子２４は、接着層３３３を介して着色層３３４と重なる。スペーサ３３５は、接着層３３３を介して遮光層３３６と重なる。図３０では、導電層３３２と遮光層３３６との間に隙間がある場合を示しているが、これらが接していてもよい。
【０２７４】
着色層３３４は特定の波長帯域の光を透過する有色層である。例えば、赤色、緑色、青色、又は黄色の波長帯域の光を透過するカラーフィルタなどを用いることができる。
【０２７５】
なお、本発明の一態様は、カラーフィルタ方式に限られず、塗り分け方式、色変換方式、又は量子ドット方式等を適用してもよい。
【０２７６】
表示部３７１において、トランジスタ３０３は、バックゲートとしての機能を有する導電層３４０と、導電層３４０上の絶縁層３４１と、絶縁層３４１上において導電層３４０と重なる半導体層３４２と、半導体層３４２上の絶縁層３４３と、絶縁層３４３上に位置し、ゲートとしての機能を有する導電層３４４と、導電層３４４上に位置する絶縁層３４５のさらに上に位置し、半導体層３４２と電気的に接続されている導電層３４６及び導電層３４７と、を有する。
【０２７７】
また、導電層３４０と同一の層に導電層３４８が位置する。導電層３４８上には絶縁層３４１が位置し、絶縁層３４１上には導電層３４８と重なる領域に導電層３４７が位置する。導電層３４７と絶縁層３４１と導電層３４８とが重なる領域が、容量素子３０４として機能する。
【０２７８】
トランジスタ３１０は、トランジスタ３０３と同様の構成を有するので、詳細な説明は割愛する。
【０２７９】
トランジスタ３０３、容量素子３０４、トランジスタ３１０上には、絶縁層３６０が位置し、絶縁層３６０上には導電層３４９が位置する。導電層３４９は導電層３４７と電気的に接続されており、反射素子２２の画素電極としての機能を有する。導電層３４９上には配向膜３６４が位置する。
【０２８０】
基板２０２には、共通電極としての機能を有する導電層３６１が設けられている。具体的に、図３０では、基板２０２上に接着層３６２を介して絶縁層３６３が接着されており、絶縁層３６３上に導電層３６１が位置する。そして、導電層３６１上には配向膜３６５が位置し、配向膜３６４と配向膜３６５の間には液晶層２０９が位置する。
【０２８１】
図３０では、導電層３４９が可視光を反射する機能を有し、導電層３６１が可視光を透過する機能を有することで、破線の矢印で示すように基板２０２側から入射した光を、導電層３４９において反射させ、基板２０２側から放射させることができる。
【０２８２】
可視光を透過する導電性材料としては、例えば、インジウム（Ｉｎ）、亜鉛（Ｚｎ）、錫（Ｓｎ）の中から選ばれた一種を含む材料を用いるとよい。具体的には、酸化インジウム、インジウム錫酸化物（ＩＴＯ：Ｉｎｄｉｕｍ  Ｔｉｎ  Ｏｘｉｄｅ）、インジウム亜鉛酸化物、酸化タングステンを含むインジウム酸化物、酸化タングステンを含むインジウム亜鉛酸化物、酸化チタンを含むインジウム酸化物、酸化チタンを含むインジウム錫酸化物、酸化シリコンを含むインジウム錫酸化物（ＩＴＳＯ）、酸化亜鉛、ガリウムを含む酸化亜鉛などが挙げられる。なお、グラフェンを含む膜を用いることもできる。グラフェンを含む膜は、例えば膜状に形成された酸化グラフェンを含む膜を還元して形成することができる。
【０２８３】
可視光を反射する導電性材料としては、例えば、アルミニウム、銀、またはこれらの金属材料を含む合金等が挙げられる。そのほか、金、白金、ニッケル、タングステン、クロム、モリブデン、鉄、コバルト、銅、もしくはパラジウム等の金属材料、またはこれら金属材料を含む合金を用いることができる。また、上記金属材料または合金に、ランタン、ネオジム、またはゲルマニウム等が添加されていてもよい。アルミニウムとチタンの合金、アルミニウムとニッケルの合金、アルミニウムとネオジムの合金、アルミニウム、ニッケル、及びランタンの合金（Ａｌ−Ｎｉ−Ｌａ）等のアルミニウムを含む合金（アルミニウム合金）、銀と銅の合金、銀とパラジウムと銅の合金（Ａｇ−Ｐｄ−Ｃｕ、ＡＰＣとも記す）、銀とマグネシウムの合金等の銀を含む合金を用いてもよい。
【０２８４】
基板２０２において、表示面側に光拡散板を設けることが好ましい。光拡散板を設けることで、導電層３４９における映り込みを低下することが可能であり、表示パネル２０の視認性を高めることが可能である。なお、光拡散板を基板２０２の表示面側に設ける代わりに、導電層３４９の表面を凹凸状とすることで、表示パネル２０の視認性を高めることができる。
【０２８５】
なお、図３０では、バックゲートを有するトップゲート型のトランジスタを用いた表示装置の構成について説明したが、本発明の一態様に係る表示装置はバックゲートを有さないトランジスタを用いていても良いし、ボトムゲート型のトランジスタを用いていても良い。
【０２８６】
半導体層３４２、３１３、３２２はトランジスタのチャネル形成領域としての機能を有する。上述の半導体層として、結晶シリコン、多結晶シリコン、非晶質シリコン、金属酸化物、有機半導体、などを用いればよい。また、必要に応じて、上述の半導体層の導電率を高めるため、または、トランジスタの閾値を制御するために、上述の半導体層に不純物を導入してもよい。
【０２８７】
半導体層３４２、３１３、３２２として金属酸化物を用いた場合、インジウム（Ｉｎ）および亜鉛（Ｚｎ）の少なくとも一方を含むことが好ましい。このような酸化物としては、Ｉｎ−Ｍ−Ｚｎ酸化物、Ｉｎ−Ｍ酸化物、Ｚｎ−Ｍ酸化物、Ｉｎ−Ｚｎ酸化物（元素Ｍは、例えば、アルミニウム（Ａｌ）、ガリウム（Ｇａ）、イットリウム（Ｙ）、スズ（Ｓｎ）、ホウ素（Ｂ）、シリコン（Ｓｉ）、チタン（Ｔｉ）、鉄（Ｆｅ）、ニッケル（Ｎｉ）、ゲルマニウム（Ｇｅ）、ジルコニウム（Ｚｒ）、モリブデン（Ｍｏ）、ランタン（Ｌａ）、セリウム（Ｃｅ）、ネオジム（Ｎｄ）、バナジウム（Ｖ）、ベリリウム（Ｂｅ）、ハフニウム（Ｈｆ）、タンタル（Ｔａ）またはタングステン（Ｗ）など）が代表的である。
【０２８８】
上記金属酸化物を用いたトランジスタは、オフ電流を低くすることができる。よって、画像信号等の電気信号の保持時間を長くすることができ、電源オン状態では書き込み間隔も長く設定できる。よって、リフレッシュ動作の頻度を少なくすることができるため、消費電力を抑制する効果を奏する。
【０２８９】
＜＜表示パネルの外観図＞＞
次いで、図３３（Ａ）に表示パネル２０の外観の一例を示す。図３３（Ａ）に示す表示パネル２０は、基板２０１上に画素部６０１と、反射素子２２を有する画素３５０の走査線駆動回路６０２と、発光素子２４を有する画素３５１の走査線駆動回路６０３と、を有する。また、ＤＤＩ２１は配線６０６を介して画素部６０１に電気的に接続されている。また、ＤＤＩ２３は配線６０７を介して画素部６０１に電気的に接続されている。
【０２９０】
また、ＦＰＣ６０８はＤＤＩ２１に電気的に接続されており、ＦＰＣ６０９はＤＤＩ２３に電気的に接続されている。ＦＰＣ６１０は配線６１１を介して走査線駆動回路６０２に電気的に接続されている。また、ＦＰＣ６１０は配線６１２を介して走査線駆動回路６０３に電気的に接続されている。
【０２９１】
次いで、画素部６０１が有する画素３００における、反射素子２２の表示領域のレイアウトと、発光素子２４の表示領域のレイアウトとを、図３３（Ｂ）に示す。
【０２９２】
具体的に図３３（Ｂ）では、画素３００が、反射素子の表示領域６１４と、黄色に対応する発光素子２４の表示領域６１５と、緑色に対応する発光素子２４の表示領域６１６と、赤色に対応する発光素子２４の表示領域６１７と、青色に対応する発光素子２４の表示領域６１８とを有する。
【０２９３】
なお、緑色、青色、赤色、黄色にそれぞれ対応する発光素子を用いて色再現性の良い黒を表示する際、発光素子の面積あたりに流れる電流量は、黄色に対応する発光素子が最も小さいことが求められる。図３３（Ｂ）では、緑色に対応する発光素子の表示領域６１６と、赤色に対応する発光素子の表示領域６１７と、青色に対応する発光素子の表示領域６１８とが、ほぼ同等の面積を有し、それらに対して黄色に対応する発光素子の表示領域６１５の面積はやや小さいため、色再現性の良い黒を表示することが可能である。
【０２９４】
（実施の形態５）
図３４に、上記実施の形態に示す表示装置１０を有する電子機器の具体例を示す。
【０２９５】
図３４（Ａ）は腕時計型の携帯端末であり、筐体５２０１、ディスプレイ５２０２、ベルト５２０３、光センサ５２０４、スイッチ５２０５等を有する。ディスプレイ５２０２はタッチセンサを有し、使用者はディスプレイ５２０２をタッチすることで携帯端末を操作することができる。ディスプレイ５２０２に上記実施の形態に示す表示装置１０を用いることで、使用者が指でタッチした領域の視認性を向上させることができる。また、携帯端末の消費電力も抑えることができる。
【０２９６】
図３４（Ｂ）はタブレット型のパーソナルコンピュータであり、筐体５３０１、筐体５３０２、ディスプレイ５３０３、光センサ５３０４、光センサ５３０５、スイッチ５３０６等を有する。ディスプレイ５３０３は、筐体５３０１及び筐体５３０２によって支持されている。そして、ディスプレイ５３０３は可撓性を有する基板を用いて形成されているため形状をフレキシブルに曲げることができる機能を有する。筐体５３０１と筐体５３０２の間の角度をヒンジ５３０７及び５３０８において変更することで、筐体５３０１と筐体５３０２が重なるように、ディスプレイ５３０３を折りたたむことができる。図示してはいないが、開閉センサを内蔵させ、上記角度の変化をディスプレイ５３０３において使用条件の情報として用いても良い。ディスプレイ５３０３はタッチセンサを有し、使用者はディスプレイ５３０３をタッチすることでパーソナルコンピュータを操作することができる。ディスプレイ５３０３に上記実施の形態に示す表示装置１０を用いることで、使用者が指でタッチした領域の視認性を向上させることができる。また、パーソナルコンピュータの消費電力も抑えることができる。
【０２９７】
図３４（Ｃ）はビデオカメラであり、筐体５８０１、筐体５８０２、ディスプレイ５８０３、操作キー５８０４、レンズ５８０５、接続部５８０６等を有する。操作キー５８０４及びレンズ５８０５は筐体５８０１に設けられており、ディスプレイ５８０３は筐体５８０２に設けられている。そして、筐体５８０１と筐体５８０２とは、接続部５８０６により接続されており、筐体５８０１と筐体５８０２の間の角度は、接続部５８０６により変更が可能である。ディスプレイ５８０３における映像を、接続部５８０６における筐体５８０１と筐体５８０２との間の角度に従って切り替える構成としても良い。ディスプレイ５８０３はタッチセンサを有し、使用者はディスプレイ５８０３をタッチすることでビデオカメラを操作することができる。ディスプレイ５８０３に上記実施の形態に示す表示装置１０を用いることで、使用者が指でタッチした領域の視認性を向上させることができる。また、ビデオカメラの消費電力も抑えることができる。
【０２９８】
図３４（Ｄ）は腕時計型の携帯端末であり、曲面を有する筐体５７０１、ディスプレイ５７０２等を有する。ディスプレイ５７０２に可撓性を有する基板を用いることで、曲面を有する筐体５７０１にディスプレイ５７０２を支持させることができ、フレキシブルかつ軽くて使い勝手の良い腕時計型の携帯端末を提供することができる。ディスプレイ５７０２はタッチセンサを有し、使用者はディスプレイ５７０２をタッチすること携帯端末を操作することができる。ディスプレイ５７０２に上記実施の形態に示す表示装置１０を用いることで、使用者が指でタッチした領域の視認性を向上させることができる。また、携帯端末の消費電力も抑えることができる。
【０２９９】
図３４（Ｅ）は携帯電話であり、曲面を有する筐体５９０１に、ディスプレイ５９０２、マイク５９０７、スピーカ５９０４、カメラ５９０３、外部接続部５９０６、操作用のボタン５９０５が設けられている。ディスプレイ５９０２はタッチセンサを有し、使用者はディスプレイ５９０２をタッチすることで携帯電話を操作することができる。ディスプレイ５９０２に上記実施の形態に示す表示装置１０を用いることで、使用者が指でタッチした領域の視認性を向上させることができる。また、携帯電話の消費電力も抑えることができる。
【０３００】
本明細書等において、金属酸化物（ｍｅｔａｌ  ｏｘｉｄｅ）とは、広い表現での金属の酸化物である。金属酸化物は、酸化物絶縁体、酸化物導電体（透明酸化物導電体を含む）、酸化物半導体（Ｏｘｉｄｅ  Ｓｅｍｉｃｏｎｄｕｃｔｏｒまたは単にＯＳともいう）などに分類される。例えば、トランジスタの半導体層に金属酸化物を用いた場合、当該金属酸化物を酸化物半導体と呼称する場合がある。つまり、金属酸化物が増幅作用、整流作用、及びスイッチング作用の少なくとも１つを有する場合、当該金属酸化物を、金属酸化物半導体（ｍｅｔａｌ  ｏｘｉｄｅ  ｓｅｍｉｃｏｎｄｕｃｔｏｒ）、略してＯＳと呼ぶことができる。また、ＯＳ  ＦＥＴと記載する場合においては、金属酸化物または酸化物半導体を有するトランジスタと換言することができる。
【０３０１】
また、本明細書等において、窒素を有する金属酸化物も金属酸化物（ｍｅｔａｌ  ｏｘｉｄｅ）と総称する場合がある。また、窒素を有する金属酸化物を、金属酸窒化物（ｍｅｔａｌ  ｏｘｙｎｉｔｒｉｄｅ）と呼称してもよい。
【０３０２】
また、本明細書等において、ＣＡＡＣ（ｃ−ａｘｉｓ  ａｌｉｇｎｅｄ  ｃｒｙｓｔａｌ）、及びＣＡＣ（ｃｌｏｕｄ  ａｌｉｇｎｅｄ  ｃｏｍｐｏｓｉｔｅ）と記載する場合がある。なお、ＣＡＡＣは結晶構造の一例を表し、ＣＡＣは機能、または材料の構成の一例を表す。
【０３０３】
また、本明細書等において、ＣＡＣ−ＯＳまたはＣＡＣ−ｍｅｔａｌ  ｏｘｉｄｅとは、材料の一部では導電性の機能と、材料の一部では絶縁性の機能とを有し、材料の全体では半導体としての機能を有する。なお、ＣＡＣ−ＯＳまたはＣＡＣ−ｍｅｔａｌ  ｏｘｉｄｅを、トランジスタの半導体層に用いる場合、導電性の機能は、キャリアとなる電子（またはホール）を流す機能であり、絶縁性の機能は、キャリアとなる電子を流さない機能である。導電性の機能と、絶縁性の機能とを、それぞれ相補的に作用させることで、スイッチングさせる機能（Ｏｎ／Ｏｆｆさせる機能）をＣＡＣ−ＯＳまたはＣＡＣ−ｍｅｔａｌ  ｏｘｉｄｅに付与することができる。ＣＡＣ−ＯＳまたはＣＡＣ−ｍｅｔａｌ  ｏｘｉｄｅにおいて、それぞれの機能を分離させることで、双方の機能を最大限に高めることができる。
【０３０４】
また、本明細書等において、ＣＡＣ−ＯＳまたはＣＡＣ−ｍｅｔａｌ  ｏｘｉｄｅは、導電性領域、及び絶縁性領域を有する。導電性領域は、上述の導電性の機能を有し、絶縁性領域は、上述の絶縁性の機能を有する。また、材料中において、導電性領域と、絶縁性領域とは、ナノ粒子レベルで分離している場合がある。また、導電性領域と、絶縁性領域とは、それぞれ材料中に偏在する場合がある。また、導電性領域は、周辺がぼけてクラウド状に連結して観察される場合がある。
【０３０５】
また、ＣＡＣ−ＯＳまたはＣＡＣ−ｍｅｔａｌ  ｏｘｉｄｅにおいて、導電性領域と、絶縁性領域とは、それぞれ０．５ｎｍ以上１０ｎｍ以下、好ましくは０．５ｎｍ以上３ｎｍ以下のサイズで材料中に分散している場合がある。
【０３０６】
また、ＣＡＣ−ＯＳまたはＣＡＣ−ｍｅｔａｌ  ｏｘｉｄｅは、異なるバンドギャップを有する成分により構成される。例えば、ＣＡＣ−ＯＳまたはＣＡＣ−ｍｅｔａｌ  ｏｘｉｄｅは、絶縁性領域に起因するワイドギャップを有する成分と、導電性領域に起因するナローギャップを有する成分と、により構成される。当該構成の場合、キャリアを流す際に、ナローギャップを有する成分において、主にキャリアが流れる。また、ナローギャップを有する成分が、ワイドギャップを有する成分に相補的に作用し、ナローギャップを有する成分に連動してワイドギャップを有する成分にもキャリアが流れる。このため、上記ＣＡＣ−ＯＳまたはＣＡＣ−ｍｅｔａｌ  ｏｘｉｄｅをトランジスタのチャネル領域に用いる場合、トランジスタのオン状態において高い電流駆動力、つまり大きなオン電流、及び高い電界効果移動度を得ることができる。
【０３０７】
すなわち、ＣＡＣ−ＯＳまたはＣＡＣ−ｍｅｔａｌ  ｏｘｉｄｅは、マトリックス複合材（ｍａｔｒｉｘ  ｃｏｍｐｏｓｉｔｅ）、または金属マトリックス複合材（ｍｅｔａｌ  ｍａｔｒｉｘ  ｃｏｍｐｏｓｉｔｅ）と呼称することもできる。
【０３０８】
本明細書において、特に断りがない場合、オン電流とは、トランジスタがオン状態にあるときのドレイン電流をいう。オン状態（オンと略す場合もある）とは、特に断りがない場合、ｎチャネル型トランジスタでは、ゲートとソースの間の電圧（ＶＧ）がしきい値電圧（Ｖｔｈ）以上の状態、ｐチャネル型トランジスタでは、ＶＧがＶｔｈ以下の状態をいう。例えば、ｎチャネル型のトランジスタのオン電流とは、ＶＧがＶｔｈ以上のときのドレイン電流を言う。また、トランジスタのオン電流は、ドレインとソースの間の電圧（ＶＤ）に依存する場合がある。
【０３０９】
本明細書において、特に断りがない場合、オフ電流とは、トランジスタがオフ状態にあるときのドレイン電流をいう。オフ状態（オフと略す場合もある）とは、特に断りがない場合、ｎチャネル型トランジスタでは、ＶＧがＶｔｈよりも低い状態、ｐチャネル型トランジスタでは、ＶＧがＶｔｈよりも高い状態をいう。例えば、ｎチャネル型のトランジスタのオフ電流とは、ＶＧがＶｔｈよりも低いときのドレイン電流を言う。トランジスタのオフ電流は、ＶＧに依存する場合がある。従って、トランジスタのオフ電流が１０−２１Ａ未満である、とは、トランジスタのオフ電流が１０−２１Ａ未満となるＶＧの値が存在することを言う場合がある。
【０３１０】
また、トランジスタのオフ電流は、ＶＤに依存する場合がある。本明細書において、オフ電流は、特に記載がない場合、ＶＤの絶対値が０．１Ｖ、０．８Ｖ、１Ｖ、１．２Ｖ、１．８Ｖ、２．５Ｖ、３Ｖ、３．３Ｖ、１０Ｖ、１２Ｖ、１６Ｖ、または２０Ｖにおけるオフ電流を表す場合がある。または、当該トランジスタが含まれる半導体装置等において使用されるＶＤにおけるオフ電流を表す場合がある。
【０３１１】
本明細書等において、トランジスタの接続関係を説明する際、ソースとドレインとの一方を、「ソースまたはドレインの一方」（又は第１電極、又は第１端子）と表記し、ソースとドレインとの他方を「ソースまたはドレインの他方」（又は第２電極、又は第２端子）と表記している。これは、トランジスタのソースとドレインは、トランジスタの構造又は動作条件等によって変わるためである。なおトランジスタのソースとドレインの呼称については、ソース（ドレイン）端子や、ソース（ドレイン）電極等、状況に応じて適切に言い換えることができる。
【０３１２】
本明細書等において、ＸとＹとが接続されている、と明示的に記載されている場合は、ＸとＹとが電気的に接続されている場合と、ＸとＹとが直接接続されている場合とが、本明細書等に開示されているものとする。
【０３１３】
ここで、Ｘ、Ｙは、対象物（例えば、装置、素子、回路、配線、電極、端子、導電膜、層、など）であるとする。
【０３１４】
ＸとＹとが直接的に接続されている場合の一例としては、ＸとＹとの電気的な接続を可能とする素子（例えば、スイッチ、トランジスタ、容量素子、インダクタ、抵抗素子、ダイオード、表示素子、発光素子、負荷など）を介さずに、ＸとＹとが、接続されている場合である。
【０３１５】
ＸとＹとが電気的に接続されている場合の一例としては、ＸとＹとの電気的な接続を可能とする素子（例えば、スイッチ、トランジスタ、容量素子、インダクタ、抵抗素子、ダイオード、表示素子、発光素子、負荷など）が、ＸとＹとの間に１個以上接続されることが可能である。なお、スイッチは、導通状態（オン状態）、または、非導通状態（オフ状態）になり、電流を流すか流さないかを制御する機能を有している。または、スイッチは、電流を流す経路を選択して切り替える機能を有している。なお、ＸとＹとが電気的に接続されている場合は、ＸとＹとが直接的に接続されている場合を含むものとする。
【符号の説明】
【０３１６】
１０    表示装置、１１    ホスト、１２    ディスプレイコントローラ、１３    表示パネル、１４    タッチパネルコントローラ、１５    タッチパネル、１６    ＤＤＩ、１７    表示素子、２０    表示パネル、２１    ＤＤＩ、２２    反射素子、２３    ＤＤＩ、２４    発光素子、２５    光センサ、３０    表示領域、３１    領域、３２    領域、３４    領域、３５    領域、４１    領域、４２    領域、４４    領域、４５    領域、１０１    走査線駆動回路、１０２    画素部、１０３    画素、１２０    トランジスタ、１２１    トランジスタ、１２２    トランジスタ、１２３    容量素子、１２４    ノード、１２５    ノード、２０１    基板、２０２    基板、２０５    トランジスタ、２０６    トランジスタ、２０７    画素電極、２０８    共通電極、２０９    液晶層、２１０    層、２１０ａ    層、２１０ｂ    層、２５２    接着層、３００    画素、３０３    トランジスタ、３０４    容量素子、３０５    トランジスタ、３０６    トランジスタ、３０７    容量素子、３０８    トランジスタ、３０９    トランジスタ、３１０    トランジスタ、３１１    導電層、３１２    絶縁層、３１３    半導体層、３１４    導電層、３１５    導電層、３１６    絶縁層、３１７    導電層、３１８    絶縁層、３１９    導電層、３２０    導電層、３２１    導電層、３２２    半導体層、３２３    導電層、３２４    絶縁層、３２５    絶縁層、３２６    導電層、３２７    導電層、３２８    絶縁層、３２９    導電層、３３０    絶縁層、３３１    ＥＬ層、３３２    導電層、３３３    接着層、３３４    着色層、３３５    スペーサ、３３６    遮光層、３４０    導電層、３４１    絶縁層、３４２    半導体層、３４３    絶縁層、３４４    導電層、３４５    絶縁層、３４６    導電層、３４７    導電層、３４８    導電層、３４９    導電層、３５０    画素、３５１    画素、３５１ａ    画素、３５１ｂ    画素、３５１ｃ    画素、３５１ｄ    画素、３６０    絶縁層、３６１    導電層、３６２    接着層、３６３    絶縁層、３６４    配向膜、３６５    配向膜、３７１    表示部、３７２    表示部、５１０    電極、５１１    電極、５１２    半導体層、５１６    電極、５１７    電極、６０１    画素部、６０２    走査線駆動回路、６０３    走査線駆動回路、６０６    配線、６０７    配線、６０８    ＦＰＣ、６０９    ＦＰＣ、６１０    ＦＰＣ、６１１    配線、６１２    配線、６１４    表示領域、６１５    表示領域、６１６    表示領域、６１７    表示領域、６１８    表示領域、８０１    上部カバー、８０２    下部カバー、８０５    ＦＰＣ、８０９    フレーム、８１０    プリント基板、８１１    バッテリー、４００１    基板、４００５    シール材、４００６    基板、４０１１    トランジスタ、４０１４    配線、４０１５    電極、４０１９    異方性導電層、４０２１    電極、４０３０    電極層、４０３１    電極層、４１０２    絶縁層、４１０３    絶縁層、４１１０    絶縁層、４１１１    絶縁層、４１１２    絶縁層、４５１０    隔壁、４５１１    発光層、４５１４    充填材、５２０１    筐体、５２０２    ディスプレイ、５２０３    ベルト、５２０４    光センサ、５２０５    スイッチ、５３０１    筐体、５３０２    筐体、５３０３    ディスプ��イ、５３０４    光センサ、５３０５    光センサ、５３０６    スイッチ、５３０７    ヒンジ、５７０１    筐体、５７０２    ディスプレイ、５８０１    筐体、５８０２    筐体、５８０３    ディスプレイ、５８０４    操作キー、５８０５    レンズ、５８０６    接続部、５９０１    筐体、５９０２    ディスプレイ、５９０３    カメラ、５９０４    スピーカ、５９０５    ボタン、５９０６    外部接続部、５９０７    マイク
【図１】
2018036647.tif 000003
【図２】
2018036647.tif 000004
【図３】
2018036647.tif 000005
【図４】
2018036647.tif 000006
【図５】
2018036647.tif 000007
【図６】
2018036647.tif 000008
【図７】
2018036647.tif 000009
【図８】
2018036647.tif 000010
【図９】
2018036647.tif 000011
【図１０】
2018036647.tif 000012
【図１１】
2018036647.tif 000013
【図１２】
2018036647.tif 000014
【図１３】
2018036647.tif 000015
【図１４】
2018036647.tif 000016
【図１５】
2018036647.tif 000017
【図１６】
2018036647.tif 000018
【図１７】
2018036647.tif 000019
【図１８】
2018036647.tif 000020
【図１９】
2018036647.tif 000021
【図２０】
2018036647.tif 000022
【図２１】
2018036647.tif 000023
【図２２】
2018036647.tif 000024
【図２３】
2018036647.tif 000025
【図２４】
2018036647.tif 000026
【図２５】
2018036647.tif 000027
【図２６】
2018036647.tif 000028
【図２７】
2018036647.tif 000029
【図２８】
2018036647.tif 000030
【図２９】
2018036647.tif 000031
【図３０】
2018036647.tif 000032
【図３１】
2018036647.tif 000033
【図３２】
2018036647.tif 000034
【図３３】
2018036647.tif 000035
【図３４】
2018036647.tif 000036
【図３５】
2018036647.tif 000037
【図３６】
2018036647.tif 000038
【図３７】
2018036647.tif 000039
【図３８】
2018036647.tif 000040
【図３９】
2018036647.tif 000041